(57)【要約】  立体表示装置（１）の駆動周波数を上げることなく、かつ、消費電力を低減する。  立体表示装置（１）の駆動方法は、表示部（２０）において、複数の行からなる第１表示領域の画像表示状態時に、第１表示領域の複数の行と異なる複数の行からなる第２表示領域への画像データ書き込みを行う第１のステップと、第２表示領域への画像データ書き込み完了後に、第２表示領域を画像表示状態とすると共に、第１表示領域を画像非表示状態とする第２のステップと、第２表示領域の画像表示状態時において、第１表示領域への画像データ書き込みを行う第３のステップと、第１表示領域への画像データ書き込み完了後に、第１表示領域を画像表示状態とすると共に、第２表示領域を画像非表示状態とする第４のステップと、を含み、第１から第４のステップを順次、繰り返して実行する。
2011121654.tif 000002
【特許請求の範囲】
【請求項１】
右眼用の画像と左眼用の画像を順次表示する表示部を有する画像表示手段と、前記右眼用の画像および前記左眼用の画像を順次目視可能とする眼鏡とを用いた立体表示装置の駆動方法であって、
前記表示部において、複数の行からなる第１表示領域の画像表示状態時に、前記第１表示領域の前記複数の行と異なる複数の行からなる前記第２表示領域への画像データ書き込みを行う第１のステップと、
前記第２表示領域への画像データ書き込み完了後に、前記第２表示領域を画像表示状態とすると共に、前記第１表示領域を画像非表示状態とする第２のステップと、
前記第２表示領域の画像表示状態時において、前記第１表示領域への画像データ書き込みを行う第３のステップと、
前記第１表示領域への画像データ書き込み完了後に、前記第１表示領域を画像表示状態とすると共に、前記第２表示領域を画像非表示状態とする第４のステップと、を含み、
前記第１から第４のステップを順次、繰り返して実行する、
立体表示装置の駆動方法。
【請求項２】
前記右眼用の画像および前記左眼用の画像をそれぞれ、前記第１表示領域または前記第２表示領域に対応させ、
前記第１のステップで、前記第２表示領域に対応させた前記右眼用の画像および前記左眼用の画像のいずれか一方の画像データを前記第２表示領域に書き込み、前記第２のステップで、当該画像について表示を行い、
前記第３のステップで、前記第１表示領域に対応させた前記右眼用の画像および前記左眼用の画像のいずれか他方の画像データを前記第１表示領域に書き込み、前記第４のステップで、当該画像について表示を行う、
請求項１に記載の立体表示装置の駆動方法。
【請求項３】
前記右眼用の画像および前記左眼用の画像をそれぞれ、前記第１表示領域または第２表示領域に対応させて第１グループと第２グループとに区分し、
前記第１から第４の４つのステップと、当該４つのステップに続く次の前記第１から第４の４つのステップとの合計８つのステップを含み、
前記第１のステップおよび前記第２のステップを実行する第１期間、前記第３のステップおよび前記第４のステップを実行する第２期間、前記次の第１のステップおよび前記次の第２のステップを実行する第３期間、乃至、前記次の第３のステップおよび前記次の第４のステップを実行する第４期間のうちのいずれかの期間において、
前記右眼用の画像の第１グループ、前記右眼用の画像の第２グループ、前記左眼用の画像の第１グループ、および前記左眼用の画像の第２グループの画像データを前記いずれかの期間にいずれか１グループを各々対応させて書き込み、当該画像について表示を行う、
請求項１に記載の立体表示装置の駆動方法。
【請求項４】
前記第１表示領域および前記第２表示領域のいずれか一方は、前記表示部の一端から数えて奇数番目の複数の行からなり、いずれか他方は、前記表示部の前記一端から数えて偶数番目の複数の行からなる、
請求項１に記載の立体表示装置の駆動方法。
【請求項５】
前記第１表示領域および前記第２表示領域の前記表示部のいずれか一方は、前記表示部の上側半分に位置する複数の行からなり、いずれか他方は、前記表示部の下側半分に位置する複数の行からなる、
請求項１に記載の立体表示装置の駆動方法。
【請求項６】
前記表示部は、有機ＥＬ素子を有する、
請求項１に記載の立体表示装置の駆動方法。
【請求項７】
右眼用の画像と左眼用の画像を順次表示する表示部を有する画像表示手段と、前記右眼用の画像および前記左眼用の画像を順次目視可能とする眼鏡とを用いた立体表示装置であって、
前記表示部は、
複数の表示画素が配置された複数の行からなる第１表示領域と、
前記第１表示領域の前記複数の行と異なる複数の行からなり、前記複数の表示画素とは異なる複数の表示画素を有する第２表示領域とを具備し、
前記画像表示手段は、
前記第１表示領域および前記第２表示領域への画像データ書き込みを行うと共に、前記第１表示領域および前記第２表示領域の画像表示状態と画像非表示状態とを切り替える表示制御部とを具備し、
前記表示制御部は、
前記第１表示領域での画像表示状態時において、前記第２表示領域への画像データ書き込みを行い、
前記第２表示領域への画像データ書き込み完了後に、前記第２表示領域を画像表示状態とすると共に、前記第１表示領域を画像非表示状態とし、
前記第２表示領域での画像表示状態時において、前記第１表示領域へのデータ書き込みを行い、
前記第１表示領域への画像データ書き込み完了後に、前記第１表示領域を画像表示状態とすると共に、前記第２表示領域を画像非表示状態とする、
立体表示装置。
【請求項８】
前記第１表示領域および前記第２表示領域のいずれか一方は、前記表示部の一端から数えて奇数番目の複数の行からなり、いずれか他方は、前記表示部の前記一端から数えて偶数番目の複数の行からなる、
請求項７に記載の立体表示装置。
【請求項９】
前記第１表示領域および前記第２表示領域のいずれか一方は、前記表示部の上側半分に位置するラインからなり、いずれか他方は、前記表示部の下側半分に位置するラインからなる、
請求項７に記載の立体表示装置。
【請求項１０】
前記表示部は、有機ＥＬ素子を有する、
請求項７に記載の立体表示装置。
【請求項１１】
前記表示制御部は、
前記表示画素に行毎に走査信号を供給する走査線駆動部と、
前記表示画素の各々に画像データの書き込みを行うデータ線駆動部と、
前記表示画素に駆動電流または電圧を供給すると共に、駆動電流または電圧の供給の有無によって画像表示状態と画像非表示状態とを切り替える電源供給切替部と、を含む、
請求項７に記載の立体表示装置。
【請求項１２】
前記走査線駆動部は、
前記第１表示領域に属する前記表示画素に走査信号を供給する第１走査線駆動部と、
前記第１表示領域に属する前記表示画素を画像表示状態または画像非表示状態に切り替える第１電源供給切替部と、
前記第２表示領域に属する前記表示画素に走査信号を供給する第２走査線駆動部と、
前記第２表示領域に属する前記表示画素を画像表示状態または画像非表示状態に切り替える第２電源供給切替部と、を含む、
請求項１１に記載の立体表示装置。
【発明の詳細な説明】
【技術分野】
【０００１】
本発明は、立体映像の表示に適するように構成された立体表示装置の駆動方法および立体表示装置に関する。
【背景技術】
【０００２】
従来、立体映像を表示させるために各種の方式が検討されている。その一例として、立体映像を視認するための視差に対応した一方の眼用の映像信号および他方の眼用の映像信号を表示装置に交互に表示し、電子シャッター付のメガネ部のシャッターを切り替えることにより立体映像を生成する方式がある。【０００３】
この方式では、立体映像の一画面の映像信号は、一方の眼用（右眼用）の画像データが設定された第１フレームの映像信号と他方の眼用（左眼用）の画像データが設定された第２フレームの映像信号とに分離される。そして、画素部に次の書き換え信号が入力されるまで前の画像の輝度が保持されるホールド型の表示方法により、第１フレームの映像信号と第２フレームの映像信号が交互に表示部に表示される。視聴者は、第１フレームおよび第２フレームに同期して左右のシャッターの開閉を行うメガネ部を介して一画面分の立体映像を認識できる。【０００４】
具体的には、右眼用の画像データが設定された第１フレームの映像信号が表示されるときには、メガネ部の左眼シャッターが閉じて、視聴者は右眼用の映像信号を認識し、左眼用の画像データが設定された第２フレームの映像信号が表示されるときには、メガネ部の右眼シャッターが閉じて、視聴者は左眼用の映像信号を認識する。これによって、視聴者は立体映像を認識することができる（例えば、特許文献１参照）。【０００５】
特許文献１に記載された立体表示装置では、表示部において映像信号が走査される走査線を奇数行（奇数ライン）群からなる奇数ブロック、偶数行（偶数ライン）群からなる偶数ブロックに２分割している。そして、例えば、右眼用の画像データが設定された第１フレームの映像信号は偶数ブロックに、左眼用の画像データが設定された第２フレームの映像信号は奇数ブロックに表示し、偶数ブロックに表示される映像信号は右眼で認識し、奇数ブロックに表示される映像信号は左眼で認識することができるように、メガネ部の駆動動作と表示部に表示される映像信号とを同期して制御している。
【先行技術文献】
【特許文献】
【０００６】
【特許文献１】特開昭６３−４６４１０号公報
【発明の概要】
【発明が解決しようとする課題】
【０００７】
しかし、上記従来の技術では、以下のような問題が生じていた。【０００８】
即ち、上記した立体表示装置では、１フレーム内で左右眼用の映像を振り分けて表示部に表示するため、映像信号を表示部に表示する走査の駆動周波数が、立体表示を行わない場合に比べて高くなると共に、例えば、右眼シャッターが閉じているときに右眼用の映像信号が表示されている等の無駄な時間での発光により消費電力が増加していた。【０００９】
また、左右眼用の映像信号を表示する際に、左右眼用の映像信号が視聴者に混合して認識されないように映像表示と黒表示を切り替えて立体表示を行う場合には、さらに駆動周波数を高くしたり、表示されている画像を一括して非表示とするなどの必要があったが、上記した特許文献１に記載された立体表示装置では、フリッカを低減するために走査線単位でメガネ部の左右のシャッターの開閉を行うこととなる。そのため、表示部への映像信号の表示は走査線単位で行われ、１フレーム分の映像信号を全面一括表示、または、全面一括非表示とすることができないため、無駄な時間での発光により消費電力が増加していた。【００１０】
本発明は、上記問題点に鑑み、駆動周波数を上げることなく、かつ、消費電力を低減して立体映像を表示することができる立体表示装置の駆動方法および立体表示装置を提供することを目的とする。
【課題を解決するための手段】
【００１１】
上記課題を解決するために、本発明の一形態に係る映像表示システムは、右眼用の画像と左眼用の画像を順次表示する表示部を有する画像表示手段と、前記右眼用の画像および前記左眼用の画像を順次目視可能とする眼鏡とを用いた立体表示装置の駆動方法であって、前記表示部において、複数の行からなる第１表示領域の画像表示状態時に、前記第１表示領域の前記複数の行と異なる複数の行からなる第２表示領域への画像データ書き込みを行う第１のステップと、前記第２表示領域への画像データ書き込み完了後に、前記第２表示領域を画像表示状態とすると共に、前記第１表示領域を画像非表示状態とする第２のステップと、前記第２表示領域の画像表示状態時に、前記第１表示領域への画像データ書き込みを行う第３のステップと、前記第１表示領域への画像データ書き込み完了後に、前記第１表示領域を画像表示状態とすると共に、前記第２表示領域を画像非表示状態とする第４のステップと、を含み、前記第１から第４のステップを順次、繰り返して実行することを特徴とする。
【発明の効果】
【００１２】
本発明に係る立体表示装置の駆動方法および立体表示装置によれば、駆動周波数を上げることなく、かつ、消費電力を低減して立体映像を表示することができる。
【図面の簡単な説明】
【００１３】
【図１】図１は、本発明の実施の形態１に係る立体表示装置の構成を示すブロック図である。
【図２】図２は、図１における立体表示装置の構成を示すブロック図である。
【図３】図３は、図２における表示装置の一部の詳細な構成を示す回路図である。
【図４】図４は、図１におけるメガネ部の構成を示すブロック図である。
【図５】図５は、図１に示す立体表示装置の通常時（平面表示）の駆動タイミングを示すタイミングチャートである。
【図６】図６は、表示映像の一例を示す図である。
【図７】図７は、図１に示す立体表示装置の立体表示時の駆動タイミングを示すタイミングチャートである。
【図８】図８は、表示映像の一例を示す図である。
【図９】図９は、図１に示す立体表示装置の動作を示すフローチャートである。
【図１０】図１０は、輝度同等時の表示映像を示した図であり、（ａ）は本発明における駆動方法、（ｂ）は従来技術である左右映像分割における駆動方法、（ｃ）は従来技術である黒挿入を設けた左右映像分割における駆動方法による表示映像を示す。
【図１１】図１１は、垂直解像度同等時の表示映像を示した図であり、（ａ）は本発明における駆動方法、（ｂ）は従来技術である左右映像分割における駆動方法、（ｃ）は従来技術である黒挿入を設けた左右映像分割における駆動方法による表示映像を示す。
【図１２】図１２は、スキャン同等時の表示映像を示した図であり、（ａ）は本発明における駆動方法、（ｂ）は従来技術である左右映像分割における駆動方法、（ｃ）は従来技術である黒挿入を設けた左右映像分割における駆動方法による表示映像を示す。
【図１３】図１３は、実施の形態２における表示装置の一部の詳細な構成を示す回路図である。
【図１４】図１４は、図１３に示す立体表示装置の通常時（平面表示）の駆動タイミングを示すタイミングチャートである。
【図１５】図１５は、図１３に示す立体表示装置の立体表示時の駆動タイミングを示すタイミングチャートである。
【図１６】図１６は、実施の形態３における立体表示装置の構成を示すブロック図である。
【図１７】図１７は、図１６における表示装置の一部の詳細な構成を示す回路図である。
【図１８】図１８は、実施の形態４における表示装置の一部の詳細な構成を示す回路図である。
【発明を実施するための形態】
【００１４】
本発明の一形態に係る立体表示装置の駆動方法は、右眼用の画像と左眼用の画像を順次表示する表示部を有する画像表示手段と、前記右眼用の画像および前記左眼用の画像を順次目視可能とする眼鏡とを用いた立体表示装置の駆動方法であって、前記表示部において、複数の行からなる第１表示領域の画像表示状態時に、前記第１表示領域の前記複数の行と異なる複数の行からなる第２表示領域への画像データ書き込みを行う第１のステップと、前記第２表示領域への画像データ書き込み完了後に、前記第２表示領域を画像表示状態とすると共に、前記第１表示領域を画像非表示状態とする第２のステップと、前記第２表示領域の画像表示状態時に、前記第１表示領域への画像データ書き込みを行う第３のステップと、前記第１表示領域への画像データ書き込み完了後に、前記第１表示領域を画像表示状態とすると共に、前記第２表示領域を画像非表示状態とする第４のステップと、を含み、前記第１から第４のステップを順次、繰り返して実行するものである。
【００１５】
本態様によると、表示部を行（ライン）単位で２つの表示領域に分割し、一方の表示領域での表示時に、他方の表示領域を非表示として画像データ書き込みを行うため、従来の立体表示の駆動方法に比べて、駆動周波数を例えば１／４に低減することができ、消費電力を削減して立体映像を表示することができる。
【００１６】
また、本発明の一形態に係る立体表示装置の駆動方法は、前記右眼用の画像および前記左眼用の画像をそれぞれ、前記第１表示領域または前記第２表示領域に対応させ、前記第１のステップで、前記第２表示領域に対応させた前記右眼用の画像および前記左眼用の画像のいずれか一方の画像データを前記第２表示領域に書き込み、前記第２のステップで、当該画像について表示を行い、前記第３のステップで、前記第１表示領域に対応させた前記右眼用の画像および前記左眼用の画像のいずれか他方の画像データを前記第１表示領域に書き込み、前記第４のステップで、当該画像について表示を行うものである。
【００１７】
本態様によると、右眼用の画像データおよび左眼用の画像データをそれぞれ、第１表示領域または第２表示領域に対応させて当該画像について書き込みおよび表示を行うため、メガネ部のシャッターに同期させて左右眼に対応した映像信号を効率よく表示することができる。
【００１８】
また、本発明の一形態に係る立体表示装置の駆動方法は、前記右眼用の画像および前記左眼用の画像をそれぞれ、前記第１表示領域または第２表示領域に対応させて第１グループと第２グループとに区分し、前記第１から第４の４つのステップと、当該４つのステップに続く次の前記第１から第４の４つのステップとの合計８つのステップを含み、前記第１のステップおよび前記第２のステップを実行する第１期間、前記第３のステップおよび前記第４のステップを実行する第２期間、前記次の第１のステップおよび前記次の第２のステップを実行する第３期間、乃至、前記次の第３のステップおよび前記次の第４のステップを実行する第４期間のうちのいずれかの期間において、前記右眼用の画像の第１グループ、前記右眼用の画像の第２グループ、前記左眼用の画像の第１グループ、および前記左眼用の画像の第２グループの画像データを前記いずれかの期間にいずれか１グループを各々対応させて書き込み、当該画像について表示を行うものである。
【００１９】
本態様によると、従来の立体表示の駆動方法と実質的に同等の垂直解像度を確保しつつ、駆動周波数を上げることなく消費電力を低減して立体映像を表示することができる。
【００２０】
また、本発明の一形態に係る立体表示装置の駆動方法は、前記第１表示領域および前記第２表示領域のいずれか一方は、前記表示部の一端から数えて奇数番目の複数の行からなり、いずれか他方は、前記表示部の前記一端から数えて偶数番目の複数の行からなるものである。
【００２１】
また、本発明の一形態に係る立体表示装置の駆動方法は、前記第１表示領域および前記第２表示領域の前記表示部のいずれか一方は、前記表示部の上側半分に位置する複数の行からなり、いずれか他方は、前記表示部の下側半分に位置する複数の行からなるものである。
【００２２】
また、本発明の一形態に係る立体表示装置の駆動方法は、前記表示部は、有機ＥＬ素子を有するものである。
【００２３】
本態様によると、表示部が有機ＥＬ素子からなるので表示部がＬＣＤからなる立体表示装置に比べて素早く駆動することができ、駆動時間を短縮することができる。
【００２４】
本発明の一形態に係る立体表示装置は、右眼用の画像と左眼用の画像を順次表示する表示部を有する画像表示手段と、前記右眼用の画像および前記左眼用の画像を順次目視可能とする眼鏡とを用いた立体表示装置であって、前記表示部は、複数の表示画素が配置された複数の行からなる第１表示領域と、前記第１表示領域の前記複数の行と異なる複数の行からなり、前記複数の表示画素とは異なる複数の表示画素を有する第２表示領域とを具備し、前記画像表示手段は、前記第１表示領域および前記第２表示領域への画像データ書き込みを行うと共に、前記第１表示領域および前記第２表示領域の画像表示状態と画像非表示状態とを切り替える表示制御部を具備し、前記表示制御部は、前記第１表示領域での画像表示状態時に、前記第２表示領域への画像データ書き込みを行い、前記第２表示領域への画像データ書き込み完了後に、前記第２表示領域を画像表示状態とすると共に、前記第１表示領域を画像非表示状態とし、前記第２表示領域での画像表示状態時に、前記第１表示領域へのデータ書き込みを行い、前記第１表示領域への画像データ書き込み完了後に、前記第１表示領域を画像表示状態とすると共に、前記第２表示領域を画像非表示状態とするものである。
【００２５】
本態様によると、表示部を行（ライン）単位で２つの表示領域に分割し、一方の表示領域での表示時に、他方の表示領域を非表示として画像データ書き込みを行うため、従来の立体表示の駆動方法に比べて、駆動周波数を低減しつつ、消費電力を削減して立体映像を表示することができる。
【００２６】
また、本発明の一形態に係る立体表示装置は、前記第１表示領域および前記第２表示領域のいずれか一方は、前記表示部の一端から数えて奇数番目の複数の行からなり、いずれか他方は、前記表示部の前記一端から数えて偶数番目の複数の行からなるものである。
【００２７】
また、本発明の一形態に係る立体表示装置は、前記第１表示領域および前記第２表示領域のいずれか一方は、前記表示部の上側半分に位置する複数の行からなり、いずれか他方は、前記表示部の下側半分に位置する複数の行からなるものである。
【００２８】
また、本発明の一形態に係る立体表示装置は、前記表示部は、有機ＥＬ素子を有するものである。
【００２９】
本態様によると、表示部が有機ＥＬ素子からなるので表示部がＬＣＤからなる立体表示装置に比べて素早く駆動することができ、駆動時間を短縮することができる。
【００３０】
また、本発明の一形態に係る立体表示装置は、前記表示制御部は、前記表示画素に行毎に走査信号を供給する走査線駆動部と、前記表示画素の各々に画像データの書き込みを行うデータ線駆動部と、前記表示画素に駆動電流または電圧を供給すると共に、駆動電流または電圧の供給の有無によって画像表示状態と画像非表示状態とを切り替える電源供給切替部とを含むものである。
【００３１】
本態様によると、電源供給切替部により、表示画素に駆動電流または電圧を供給すると共に、画像表示状態と画像非表示状態とを一括して切り替えることができるので、１フレーム分の画像情報を全面一括表示、または、全面一括非表示とすることにより余分な消費電力を低減することができる。
【００３２】
また、本発明の一形態に係る立体表示装置は、前記走査線駆動部は、前記第１表示領域に属する前記表示画素に走査信号を供給する第１走査線駆動部と、前記第１表示領域に属する前記表示画素を画像表示状態または画像非表示状態に切り替える第１電源供給切替部と、前記第２表示領域に属する前記表示画素に走査信号を供給する第２走査線駆動部と、前記第２表示領域に属する前記表示画素を画像表示状態または画像非表示状態に切り替える第２電源供給切替部とを含むものである。
【００３３】
本態様によると、走査線駆動部および電源供給切替部がそれぞれ２つずつ設けられているので、表示部を２ブロックに分割した場合に、ブロック毎に１フレーム分の映像信号を全面一括表示、または、全面一括非表示とすることにより余分な消費電力を効率よく低減することができる。
【００３４】
以下、本発明の実施の形態に係る立体表示装置を備えた映像表示システムについて図面に基づき説明する。なお、以下では、全ての図を通じて同一または相当する要素には同じ符号を付して、その重複する説明を省略する。
【００３５】
（実施の形態１）
本実施の形態１に係る立体表示装置は、右眼用の画像と左眼用の画像を順次表示する表示部を有する画像表示手段と、右眼用の画像および左眼用の画像を順次目視可能とする眼鏡とを用いた立体表示装置の駆動方法であって、表示部において、複数の行からなる第１表示領域の画像表示状態時に、第１表示領域の複数の行と異なる複数の行からなる第２表示領域への画像データ書き込みを行う第１のステップと、第２表示領域への画像データ書き込み完了後に、第２表示領域を画像表示状態とすると共に、第１表示領域を画像非表示状態とする第２のステップと、第２表示領域の画像表示状態時に、第１表示領域への画像データ書き込みを行う第３のステップと、第１表示領域への画像データ書き込み完了後に、第１表示領域を画像表示状態とすると共に、第２表示領域を画像非表示状態とする第４のステップとを含み、第１から第４のステップを順次繰り返して実行することを特徴とする。
【００３６】
このような構成により、従来の立体表示の駆動方法に比べて、駆動周波数を例えば１／４に低減することができ、消費電力を削減して立体映像を表示することができる。
【００３７】
以下に、本実施の形態について、有機ＥＬパネルディスプレイを備えた映像表示システムを例として、図面を参照しながら説明する。
【００３８】
図１は、本発明に係る映像表示システムの構成を示すブロック図である。同図に示すように、映像表示システム１は、表示装置１１と、映像信号出力部１２と、メガネ部１３とを備えている。なお、映像表示システム１が本発明における立体表示装置、表示装置１１が本発明における画像表示手段に相当する。
【００３９】
映像信号出力部１２は、映像信号を表示装置１１に出力すると共に、同期信号をメガネ部１３に出力する。ここで、映像信号は、立体映像または平面映像のいずれであってもよい。また、同期信号は、表示装置１１に出力される映像信号が右眼用の画像データであるか左眼用の画像データであるかをメガネ部１３に伝達するための信号である。
【００４０】
図２は、図１における表示装置１１の構成を示すブロック図である。同図に示すように、表示装置１１は、映像表示部２０と、信号入力部２１と、信号処理部２２と、制御回路２３と、信号送信部２４と、スキャン信号転送部２５と、信号線駆動回路２６とを備えている。なお、映像表示部２０、スキャン信号転送部２５、信号線駆動回路２６が、それぞれ本発明における表示部、走査線駆動部、データ線駆動部に相当する。また、制御回路２３、スキャン信号転送部２５、信号線駆動回路２６が、本発明における表示制御部に相当する。
【００４１】
映像表示部２０は、画素部１７を複数備えた行（ライン）を複数備え、映像信号出力部１２から表示装置１１に入力された画像データに基づいて映像信号を表示する。各画素部１７には、後に説明する駆動素子１７ｂを駆動させる走査信号を供給するゲート線Ｈｙ（ｙ＝１，２，…，ｙ−１，ｙ）と、画像データを各画素部１７に供給するデータ線Ｖｘ（ｘ＝１，２，…，ｘ−１，ｘ）とが接続されている。また、映像表示部２０は、ゲート線Ｈｙの奇数ラインに接続された複数の画素部１７により構成された奇数ブロックと、ゲート線Ｈｙの偶数ラインに接続された複数の画素部１７により構成された偶数ブロックにより構成されている。ここで、奇数ブロックおよび偶数ブロックがそれぞれ本発明における第１表示領域および第２表示領域に相当する。なお、第１表示領域および第２表示領域は、奇数ブロックおよび偶数ブロックに限らず、例えば、第１表示領域を映像表示部の上側半分、第２表示領域を映像表示部の下側半分としてもよい。
【００４２】
図３は映像表示部２０、制御回路２３、スキャン信号転送部２５および信号線駆動回路２６の詳細な構成を示した回路図である。同図に示すように、画素部１７は、例えば、発光素子１７ａと発光素子１７ａへの電流の供給を制御する駆動素子１７ｂと、所望のラインの画素部１７を選択するための選択素子１７ｃとを備えている。そして、選択素子１７ｃの動作により選択された画素部１７では、上記した映像信号に応じて、ゲート線Ｈｙに入力された信号により駆動素子１７ｂが駆動され、データ線Ｖｘから入力された信号により発光素子１７ａに電流が供給されて、発光素子１７ａが発光する。
【００４３】
また、図２に示すように、信号入力部２１は、右眼用の画像データと左眼用の画像データとが未分離の映像信号を、表示装置１１の外部に設けられた映像信号出力部１２から受信し、信号処理部２２に供給する。
【００４４】
信号処理部２２は、上記した未分離の映像信号から右眼用および左眼用の画像データを分離して、右眼用および左眼用の画像データを制御回路２３に出力する。また、右眼用および左眼用の画像データの切替えタイミングを示す映像同期信号を信号送信部２４へ供給する。
【００４５】
制御回路２３は、信号処理部２２から入力された右眼用および左眼用の画像データに対応してスキャン信号転送部２５を駆動するための走査信号を生成し、スキャン信号転送部２５へ供給する。具体的には、スキャン信号転送部２５に、一画面（１フレーム）における右眼用の画像データを、映像表示部２０の奇数ブロックの先頭ラインに相当するゲート線Ｈ１から奇数ブロックの最終ラインに相当するゲート線Ｈｙ−１へ１ラインおきに走査させ、右眼用の画像データに後続する左眼用の画像データを、映像表示部２０の偶数ブロックの先頭ラインに相当するゲート線Ｈ２から偶数ブロックの最終ラインに相当するゲート線Ｈｙへ１ラインおきに走査させるための走査信号を供給する。また、制御回路２３は、信号処理部２２から入力された右眼用および左眼用の画像データを信号線駆動回路２６に供給する。
【００４６】
信号送信部２４は、信号処理部２２から供給された映像同期信号を、メガネ部１３へ送信する。
【００４７】
スキャン信号転送部２５は、シフトレジスタなどの切替えスイッチを有する構成であり、制御回路２３から供給された走査信号を、ゲート線Ｈｙを介して映像表示部２０に設けられた画素部１７に供給し、駆動素子１７ｂを駆動して、画像データに応じて発光素子１７ａを発光させる。
【００４８】
ここで、スキャン信号転送部２５は、図３に示すように、第１走査線駆動回路２５ａと、第２走査線駆動回路２５ｂと、第３走査線駆動回路２５ｃと、第４走査線駆動回路２５ｄとを備えている。第１走査線駆動回路２５ａおよび第２走査線駆動回路２５ｂは、それぞれ、ゲート線Ｈｙの奇数ラインおよび偶数ラインの駆動を行う。第１走査線駆動回路２５ａおよび第２走査線駆動回路２５ｂは、制御回路２３から供給される走査信号に基づいて、画素部１７の駆動素子１７ｂを駆動する。また、第３走査線駆動回路２５ｃと、第４走査線駆動回路２５ｄは、本発明における第１電源供給切替部および第２電源供給切替部に相当し、ゲート線Ｈｙの奇数ラインおよび偶数ラインを介して一括して各画素部１７の選択素子１７ｃに駆動信号を与えることにより、表示装置１１を奇数ブロックまたは偶数ブロック単位で画像表示状態または画像非表示状態にする。
【００４９】
信号線駆動回路２６は、スキャン信号転送部２５により走査されるゲート線Ｈｙが接続された各画素部１７で表示されるべき映像信号を、データ線Ｖｘを介して各画素部１７へ供給する。このとき、一画面（１フレーム）における右眼用の画像データを、映像表示部２０の奇数ブロックの先頭ラインに相当するゲート線Ｈ１から奇数ブロックの最終ラインに相当するゲート線Ｈｙ−１へ供給する。また、右眼用の画像データに後続する左眼用の画像データを、映像表示部２０の偶数ブロックの先頭ラインに相当するゲート線Ｈ２から偶数ブロックの最終ラインに相当するゲート線Ｈｙへ供給する。
【００５０】
次に、メガネ部１３について説明する。
【００５１】
メガネ部１３は、図１に示すように、右眼シャッター１３ａと左眼シャッター１３ｂとを有している。
【００５２】
図４は、メガネ部１３の構成を示すブロック図である。同図に示すように、メガネ部１３は、エミッタ３０と、信号受信部３５と、シャッター切替部３６とを備えている。また、エミッタ３０は、メガネ同期制御部３１と、信号送信部３２とを備えている。ここで、エミッタ３０は、メガネ部１３に設けられなくても、外付けとする構成であってもよく、表示装置１１に内蔵されていてもよい。また、有線接続されなくても、例えば赤外線などによって、信号の送受信が行われる構成であってもよい。
【００５３】
メガネ同期制御部３１は、表示装置１１から出力された映像同期信号と、映像信号出力部１２から出力された同期信号を受信し、メガネ制御信号を生成する。メガネ制御信号は、各フレームの映像同期信号が開始されてから所定の期間は、右眼シャッター１３ａまたは左眼シャッター１３ｂのいずれかを開口し、所定期間経過後は開口していた右眼シャッター１３ａまたは左眼シャッター１３ｂを閉口する制御信号である。これにより、右眼シャッター１３ａおよび左眼シャッター１３ｂの開閉を切り替えるときに、シャッターの双方を閉状態とする制御が行われる。
【００５４】
その後、メガネ同期制御部３１は、映像同期信号とメガネ制御信号を信号送信部３２に出力する。
【００５５】
信号送信部３２は、受信した映像同期信号とメガネ制御信号をさらに信号受信部３５に供給する。このとき、例えば、エミッタ３０がメガネ部１３に外付けされる構成であれば、赤外線通信方式により、信号送信部３２からメガネ部１３の信号受信部３５にこれらの信号が送信される。
【００５６】
信号受信部３５は、映像同期信号とメガネ制御信号を受信すると、シャッター切替部３６にこれらの信号を供給する。そして、シャッター切替部３６は、映像同期信号に同期して、メガネ制御信号によりメガネ部１３の右眼シャッター１３ａおよび左眼シャッター１３ｂの開閉を制御する。メガネ部１３のシャッターの開閉は、例えば液晶駆動方式であり、この場合、印加電圧を制御することによりシャッターの開閉が行われる。これにより、視聴者は、右眼用の映像信号を右眼で、左眼用の映像信号を左眼で認識することが可能となる。なお、シャッターは液晶駆動方式に限らず、その他の駆動方式のシャッターであってもよい。
【００５７】
次に、表示装置１１の駆動動作についてタイミングチャートを用いて説明する。
【００５８】
図５は、通常時（平面表示）における表示装置１１の１フレームの駆動タイミングを示すタイミングチャート、図６は、通常時（平面表示）の表示映像の一例を示す図である。また、図７は、立体表示時における表示装置１１の１フレームの駆動タイミングを示すタイミングチャート、図８は、立体表示時の表示映像の一例を示す図である。なお、これらの図では、一例として映像表示部２０の走査線が７６８ラインの場合を示している。また、図６および図８では、ハッチングで示した部分が、視聴者が見ることができる映像信号である。
【００５９】
図５に示すように、平面表示においては、第３走査線駆動回路２５ｃおよび第４走査線駆動回路２５ｄから、画素部１７の選択素子１７ｃに対して常にＨレベルの駆動信号（パルス信号）が供給される。これにより、表示装置１１は、奇数ブロックおよび偶数ブロックともに画像表示状態になる。なお、選択素子１７ｃに供給される駆動信号は、Ｌレベルのときに画像表示状態となるようにしてもよい。
【００６０】
そして、第１走査線駆動回路２５ａにより、各奇数ライン（Ｈ１、Ｈ３、・・・、Ｈ７６７）に順にＨレベルのパルス信号が供給され、同時に信号線駆動回路２６から各画素部１７に対応する画像データが供給される。続けて、第２走査線駆動回路２５ｂにより、同様に各偶数ライン（Ｈ２、Ｈ４、・・・、Ｈ７６８）に順にＨレベルのパルス信号が供給され、同時に信号線駆動回路２６から各画素部１７に対応する画像データが供給される。このようにして、映像表示部２０に１フレーム分の２Ｄ画像が表示される。
【００６１】
図６は、上記した走査により表示される表示映像の一例を示す図である。
【００６２】
図６は、映像表示部の１列分の画素部について、映像表示部に表示される映像信号の表示時間を示している。同図の縦軸は、画面垂直方向を示し、横軸は時間を示している。また、同図において上半分は複数の偶数ラインをまとめて表示した偶数ブロック、下半分は複数の奇数ラインをまとめて表示した奇数ブロックを示している。
【００６３】
すなわち、映像表示部２０の奇数ブロックから偶数ブロックへ連続して、それぞれ映像表示部２０の上側の走査線に接続された画素部１７から下側の走査線に接続された画素部１７に、順に画像データが供給され、対応する映像信号が表示されることを示している。
【００６４】
なお、平面表示においては、偶数ブロックおよび奇数ブロック毎に映像信号を表示しなくても、データ線Ｈ１からＨ７６８まで奇数ラインおよび偶数ライン交互に映像信号を表示してもよい。
【００６５】
また、図７に示すように、立体表示においては、１フレームの左眼に対応する映像信号が表示され右眼に対応する画像データの書き込みが行われる期間には、第３走査線駆動回路２５ｃおよび第４走査線駆動回路２５ｄから、画素部１７の選択素子１７ｃに対してそれぞれＬレベルおよびＨレベルの駆動信号（パルス信号）が供給される。これにより、表示装置１１は、奇数ブロックが画像非表示状態、偶数ブロックが画像表示状態になる。そして、同期間に、第１走査線駆動回路２５ａにより、各奇数ライン（Ｈ１、Ｈ３、・・・、Ｈ７６７）に順にＨレベルのパルス信号が供給される。
【００６６】
続けて、１フレームの右眼に対応する映像信号が表示され左眼に対応する画像データの書き込みが行われる期間には、第３走査線駆動回路２５ｃおよび第４走査線駆動回路２５ｄから、画素部１７の選択素子１７ｃに対してそれぞれＨレベルおよびＬレベルの駆動信号（パルス信号）が供給される。これにより、表示装置１１は、奇数ブロックが画像表示状態、偶数ブロックが画像非表示状態になる。そして、同期間に、第２走査線駆動回路２５ｂにより、各偶数ライン（Ｈ２、Ｈ４、・・・、Ｈ７６８）に順にＨレベルのパルス信号が供給される。
【００６７】
つまり、制御回路２３による制御により、奇数ブロックに右眼用の映像信号が表示されている状態時に、偶数ブロックの画素部１７への左眼用の画像データ書き込みが行われ、偶数ブロックの画素部１７への左眼用の画像データ書き込み完了後に、偶数ブロックに左眼用の映像信号が表示されている状態とすると共に、奇数ブロックを映像信号が表示されない状態とし、偶数ブロックに左眼用の映像信号が表示されている状態時に、奇数ブロックの画素部１７への右眼用の画像データ書き込みが行われ、奇数ブロックの画素部１７への右眼用の画像データ書き込み完了後に、奇数ブロックに右眼用の映像信号が表示されている状態とすると共に、偶数ブロックを映像信号が表示されない状態とし、これを順次繰り返して映像表示部２０に１フレーム分の３Ｄ画像が表示される。
【００６８】
図８は、上記した走査により表示される表示映像の一例を示す図である。
【００６９】
図８に示すように、映像表示部２０の奇数ブロックから偶数ブロックへ連続して、それぞれ映像表示部２０の上側の走査線に接続された画素部１７から下側の走査線に接続された画素部１７に、順に画像データの書き込みが行われる。
【００７０】
ここで、図８に示すサブフレーム１−Ａの期間において、奇数ブロックは画像非表示状態であるため、映像表示部２０の画素部１７に右眼用の画像データの書き込みが行われているものの、奇数ブロックでは映像信号は映像表示部２０に表示されていない。また、偶数ブロックは画像表示状態であるため、前フレームで偶数ブロックの画素部１７に書き込まれた左眼用の画像データが映像信号として表示される。
【００７１】
また、図８に示すサブフレーム１−Ａに続くサブフレーム１−Ｂの期間において、偶数ブロックは画像非表示状態であるため、映像表示部２０の画素部１７に次のサブフレームの画像データの書き込みが行われているものの、偶数ブロックでは映像信号は映像表示部２０に表示されていない。また、奇数ブロックは画像表示状態であるため、同フレームで奇数ブロックの画素部１７に書き込まれた右眼用の画像データが映像信号として表示される。
【００７２】
また、図８に示すサブフレーム１−Ｂに続くサブフレーム２−Ａの期間においては、左眼用・右眼用いずれの画像データを映像信号として表示することも可能であるが、図８に示したように、サブフレーム２−Ａの期間において右眼用の画像データを映像信号として表示し、サブフレーム２−Ｂの期間において左眼用の画像データを映像信号として表示するほうが、フリッカ防止の点から好ましい。  このような駆動方法により、立体表示の場合であっても映像信号の駆動周波数を上げることなく、図６で示した平面表示の場合と同じ駆動周波数で映像信号を走査することができる。
【００７３】
図９に、上記した駆動タイミングで映像表示システム１が動作するためのフローチャートを示す。
【００７４】
映像信号出力部１２から出力された１フレームの右眼用の映像信号は、表示装置１１の信号入力部２１で受信される（ステップＳ１０）。この映像信号には、右眼用および左眼用の映像の切替えタイミングを示す映像同期信号と、立体映像に関する情報を含んだ３Ｄ信号が付加されている。なお、立体映像でない場合には、映像信号に３Ｄ信号は付加されていない。そして、映像信号を受信した信号入力部２１から信号処理部２２に、映像信号が供給される。
【００７５】
信号処理部２２は、供給された映像信号を解析して（ステップＳ１１）、映像信号から映像同期信号、３Ｄ信号を分離する。そして、映像信号に３Ｄ信号が付加されているかどうかを検出し（ステップＳ１２）、映像信号を立体表示または平面表示するための制御信号を生成し、制御回路２３に出力する。ここで、映像信号に３Ｄ信号が付加されている場合には、信号処理部２２は、さらに、映像信号から右眼用の画像データと左眼用の画像データを分離している。
【００７６】
また、映像信号に３Ｄ信号が付加されている場合には、信号処理部２２は、映像同期信号を、信号処理部２２から信号送信部２４を介してメガネ部１３へ出力する。そして、映像同期信号を受信したメガネ部１３では、シャッターメガネ動作が行われる（ステップＳ１３）。
【００７７】
また、３Ｄ信号が右眼用の画像データである場合には（ステップＳ１４）、映像表示部２０の奇数ブロックを一括非表示状態、偶数ブロックを一括表示状態とする制御が行われる（ステップＳ１５）。つまり、上記したように、制御回路２３によりスキャン信号転送部２５の第３走査線駆動回路２５ｃから奇数ラインの画素部１７の選択素子１７ｃにＬレベルのパルス信号が供給され、第４走査線駆動回路２５ｄから偶数ラインの画素部１７の選択素子１７ｃにＨレベルのパルス信号が供給され、偶数ブロックの画素部１７に書き込まれた左眼用の映像信号が映像表示部２０に表示されると共に、奇数ブロックの画素部１７に次に表示される右眼用の画像データの書き込みが行われる（ステップＳ１７）。
【００７８】
また、３Ｄ信号が右眼用の画像データでない、つまり、左眼用の画像データである場合には（ステップＳ１４）、映像表示部２０の偶数ブロックを一括非表示状態、奇数ブロックを一括表示状態とする制御が行われる（ステップＳ１６）。つまり、上記したように、制御回路２３によりスキャン信号転送部２５の第４走査線駆動回路２５ｄから偶数ラインの画素部１７の選択素子１７ｃにＬレベルのパルス信号が供給され、第３走査線駆動回路２５ｃから奇数ラインの画素部１７の選択素子１７ｃにＨレベルのパルス信号が供給され、奇数ブロックの画素部１７に書き込まれた右眼用の映像信号が映像表示部２０に表示されると共に、偶数ブロックの画素部１７に次に表示される左眼用の画像データの書き込みが行われる（ステップＳ１７）。
【００７９】
なお、映像信号に３Ｄ信号が付加されていない場合、つまり、映像信号が２Ｄ映像であるには、メガネ部１３の、シャッターメガネ動作は非動作とされる（ステップＳ１８）。
【００８０】
上記した表示装置１１の駆動方法では、従来技術における駆動方法の場合と比べて、映像信号の輝度は同等に表示される。ここで、上記した駆動方法と、従来技術である左右映像分割による駆動方法および黒挿入を設けた左右映像分割による駆動方法による表示映像の効果の違いについて説明する。
【００８１】
図１０は、表示映像の輝度が同等になるように各駆動方式により駆動したときの表示映像を示した図であり、同図（ａ）は本発明における駆動方法、同図（ｂ）は従来技術である左右映像分割における駆動方法、同図（ｃ）は従来技術である黒挿入を設けた左右映像分割における駆動方法による表示映像をそれぞれ示している。ここで、縦軸は画面垂直方向を示し、横軸は時間を示している。また、同図（ａ）〜（ｃ）において太枠で示した領域は、メガネ部１３の左眼シャッター１３ｂが開状態であることを示している。なお、図１０（ａ）では、表示映像の上半分が奇数ブロック、下半分が偶数ブロックを示している。また、同図（ａ）および同図（ｃ）において、斜線で示したハッチング部分は、映像信号が表示されていないことを示している。
【００８２】
図１０（ａ）に示す本発明における駆動方法では、透過輝度は、垂直５０％×デューティ１００％＝５０％である。つまり、本発明における駆動方法では、奇数ブロックまたは偶数ブロック毎に映像信号が表示されるので、視聴者が認識する画面垂直方向の輝度は全画面に映像信号が表示された場合の５０％（上記した「垂直５０％」）となる。また、左眼シャッターまたは右眼シャッターの開口時間は、１フレームにおける左眼または右眼用の映像信号のスキャン時間（１フレームの１／２の時間）をデューティ１００％とすると、１回の開口につきデューティ１００％となる。したがって、透過輝度は上記したように５０％と表される。
【００８３】
また、図１０（ｂ）に示す従来技術である左右映像分割における駆動方法では、右眼シャッター１３ａまたは左眼シャッター１３ｂの開口時間は、１回の開口につきデューティ５０％となるので、透過輝度は５０％と表される。
【００８４】
また、図１０（ｃ）に示す従来技術である黒挿入を設けた左右映像分割における駆動方法では、透過輝度は黒５０％×デューティ１００％＝５０％と表される。つまり、左眼用の映像信号および右眼用の映像信号がスキャンされる間に、黒信号が表示される期間が設けられているので（上記した「黒５０％」）、この黒信号表示時間にも右眼シャッターまたは左眼シャッターを開口しておくことが可能であり、１回の開口につきデューティ１００％と表される。したがって、透過輝度は５０％と表される。
【００８５】
ここで、各駆動方法における映像信号の駆動周波数（スキャン周波数）の違いについて説明する。人間の左右眼の視差により立体映像を認識するためには、片目１フレームの映像信号のフレーム周波数は概ね６０Ｈｚ以上である必要がある。図１０（ａ）に示す本発明における駆動方法において片目１フレームの映像信号のフレーム周波数を６０Ｈｚとすると、映像信号の駆動周波数（スキャン周波数）は６０Ｈｚである。
【００８６】
ここで、従来技術である左右映像分割における駆動方法においては、映像表示部２０の奇数ブロックおよび偶数ブロック毎の映像信号の書き込みや一括表示を行わないので、図１０（ｂ）に示すように、駆動周波数を２４０Ｈｚにすることにより図１０（ａ）と同等の輝度を得ることができる。また、従来技術である黒挿入を設けた左右映像分割における駆動方法においても映像表示部２０の奇数ブロックおよび偶数ブロック毎の映像信号の書き込みや一括表示を行わないので、図１０（ｃ）に示すように、右眼用および左眼用の映像信号の駆動周波数を２４０Ｈｚにすることにより図１０（ａ）と同等の輝度を得ることができる。
【００８７】
したがって、従来技術である左右映像分割における駆動方法および黒挿入を設けた左右映像分割による駆動方法では、本発明による映像信号と輝度が同等の映像信号を表示するには、本発明における駆動方法に比べて４倍の駆動周波数で駆動することになる。つまり、本発明における駆動方法によると、従来と比べて１／４の駆動周波数で従来と同等の輝度の映像信号を表示することができ、消費電力を低減して３Ｄ映像を表示することができる。
【００８８】
次に、本発明における駆動方法として、表示映像の垂直解像度が同等になるように駆動する場合について説明する。
【００８９】
図１１は、表示映像の垂直解像度が同等になるように各駆動方式により駆動したときの表示映像を示した図であり、同図（ａ）は本発明における駆動方法、同図（ｂ）は従来技術である左右映像分割における駆動方法、同図（ｃ）は従来技術である黒挿入を設けた左右映像分割における駆動方法による表示映像をそれぞれ示している。なお、図１１（ａ）では、表示映像の上半分が奇数ブロック、下半分が偶数ブロックを示している。また、同図（ａ）および同図（ｃ）において、斜線で示したハッチング部分は、映像信号が表示されていないことを示している。また、同図（ｂ）および同図（ｃ）は、上記した輝度同等時の駆動方法の場合の図１０（ｂ）および図１０（ｃ）の映像表示と同様の図を示している。
【００９０】
本発明における駆動方法では、奇数ブロックまたは偶数ブロック毎の映像信号のスキャンや一括表示が行われるので、本発明における駆動方法により図１１（ｂ）および図１１（ｃ）に示した場合と同様の垂直解像度を達成するには、図１１（ａ）に示すように、図１０（ａ）に示した駆動周波数の２倍である１２０Ｈｚで映像信号のスキャンを行う必要がある。
【００９１】
つまり、制御回路２３による制御により、偶数ブロックに左眼用の映像信号が表示されている状態時に、奇数ブロックの画素部１７へ右眼用の画像データ書き込みが行われ、奇数ブロックの画素部１７への右眼用の画像データ書き込み完了後に、奇数ブロックに右眼用の映像信号が表示されている状態とすると共に、偶数ブロックを映像信号が表示されない状態とする期間と、奇数ブロックに右眼用の映像信号が表示されている状態時に、偶数ブロックの画素部１７への左目用の画像データ書き込みが行われ、偶数ブロックの画素部１７への左眼用の画像データ書き込み完了後に、偶数ブロックに左眼用の映像信号が表示されている状態とすると共に、奇数ブロックを映像信号が表示されない状態とする期間と、偶数ブロックに左眼用の映像信号が表示されている状態時に、奇数ブロックの画素部１７への右眼用の画像データ書き込みが行われ、奇数ブロックの画素部１７への右眼用の画像データ書き込み完了後に、奇数ブロックに右眼用の映像信号が表示されている状態とすると共に、偶数ブロックを映像信号が表示されない状態とする期間と、奇数ブロックに右眼用の映像信号が表示されている状態時に、偶数ブロックの画素部１７への左眼用の画像データ書き込みが行われ、偶数ブロックの画素部１７への左眼用の画像データ書き込み完了後に、偶数ブロックに左眼用の映像信号が表示されている状態とすると共に、奇数ブロックを映像信号が表示されない状態とする期間を順次繰り返して映像表示部２０に１フレーム分の３Ｄ画像が表示される。
【００９２】
したがって、従来技術である左右映像分割における駆動方法および黒挿入を設けた左右映像分割による駆動方法では、本発明による映像信号と垂直解像度が同等の映像信号を表示するには、本発明における駆動方法に比べて２倍の駆動周波数で駆動することになる。つまり、本発明における駆動方法によると、従来と比べて１／２の駆動周波数で従来と同等の垂直解像度の映像信号を表示することができ、消費電力を低減して３Ｄ映像を表示することができる。
【００９３】
次に本発明における駆動方法として、表示映像の駆動周波数が同等になるように駆動する場合について説明する。
【００９４】
また、図１２は、表示映像の駆動周波数（スキャン周波数）が同等になるように各駆動方式により駆動したときの表示映像を示した図であり、同図（ａ）は本発明における駆動方法、同図（ｂ）は従来技術である左右映像分割における駆動方法、同図（ｃ）は従来技術である黒挿入を設けた左右映像分割における駆動方法による表示映像をそれぞれ示している。また、図１２（ａ）は、上記した輝度同等時の駆動方法の場合の図１０（ａ）の映像表示と同様の図を示しており、片目１フレームのフレーム周波数および映像信号の駆動周波数は６０Ｈｚと表している。なお、図１２（ａ）では、表示映像の上半分が奇数ブロック、下半分が偶数ブロックを示している。また、同図（ａ）および同図（ｃ）において、斜線で示したハッチング部分は、映像信号が表示されていないことを示している。
【００９５】
本発明における駆動方法では、映像表示部２０の奇数ブロックまたは偶数ブロック毎の映像信号のスキャンや一括表示が行われるので、従来技術である左右映像分割における駆動方法および黒挿入を設けた左右映像分割による駆動方法において本発明における駆動方法と同一のスキャン周波数６０Ｈｚにより映像信号のスキャンを行うと、図１２（ｂ）および図１２（ｃ）に示すように、片目１フレームのフレーム周波数はそれぞれ３０Ｈｚおよび１５Ｈｚとなる。
【００９６】
したがって、従来技術である左右映像分割における駆動方法および黒挿入を設けた左右映像分割による駆動方法では、本発明による映像信号に比べてフレーム周波数が低いので、１フレームの映像信号の表示に係る時間が長くなり、視聴者は左右眼の視差による立体映像を認識することが難しくなる。つまり、本発明における駆動方法によると、視聴者が立体映像を認識できる範囲内の駆動周波数で、消費電力を低減して３Ｄ映像を表示することができる。
【００９７】
なお、上記した実施の形態では、本発明における第１電源供給切替部および第２電源供給切替部として第３走査線駆動回路２５ｃおよび第４走査線駆動回路２５ｄを設け、第３走査線駆動回路２５ｃおよび第４走査線駆動回路２５ｄから奇数ラインおよび偶数ラインのゲート線Ｈｙを介して一括して各画素部１７の選択素子１７ｃに駆動信号を与えることにより、表示装置１１を奇数ラインまたは偶数ライン単位で画像表示状態または画像非表示状態にする構成としたが、駆動素子１７ｂに電圧または電流を印加する電源部（図示せず）をＯＮまたはＯＦＦに制御することにより、表示装置１１を奇数ブロックまたは偶数ブロック単位で一括して画像表示状態または画像非表示状態にする構成としてもよい。この場合、選択素子１７ｃ、第３走査線駆動回路２５ｃおよび第４走査線駆動回路２５ｄを備える必要がないため、画素部１７および表示装置１１を小型化することができる。また、本実施の形態では、第１表示領域を奇数ブロック、第２表示領域を偶数ブロックとしたが、第１表示領域を映像表示部の上半分、第２表示領域を映像表示部の下半分としてもよい。
【００９８】
（実施の形態２）
次に、本発明の実施の形態２に係る映像表示システムについて説明する。
【００９９】
本実施の形態が上記した実施の形態１と異なる点は、映像表示部を奇数ブロックまたは偶数ブロック単位で画像表示状態または画像非表示状態にするために、第３走査線駆動回路および第４走査線駆動回路がスキャン信号転送部２５に設けられる代わりに、制御回路２３に第１制御部２３ａおよび第２制御部２３ｂが設けられている点である。
【０１００】
図１３は、表示装置１１に設けられた映像表示部２０、スキャン信号転送部２５、信号線駆動回路２６および制御回路２３の詳細な構成を示した図である。制御回路２３は、同図に示すように、第１制御部２３ａおよび第２制御部２３ｂを備えている。また、第１制御部２３ａおよび第２制御部２３ｂは、本発明における第１電源供給切替部および第２電源供給切替部に相当し、ゲート線Ｈｙの奇数ラインおよび偶数ラインを介して一括して各画素部１７の選択素子１７ｃに駆動信号を与えることにより、表示装置１１を奇数ブロックまたは偶数ブロック単位で画像表示状態または画像非表示状態にする。
【０１０１】
図１４は通常時（平面表示）における表示装置１１の１フレームの駆動タイミングを示すタイミングチャート、図１５は立体表示時における表示装置１１の１フレームの駆動タイミングを示すタイミングチャートである。これらの図では、一例として映像表示部２０の走査線が７６８ラインの場合を示している。
【０１０２】
図１４に示すように、平面表示においては、第１制御部２３ａおよび第２制御部２３ｂから、画素部１７の選択素子１７ｃに対して常にＨレベルの駆動信号（パルス信号）が供給される。これにより、表示装置１１は、奇数ブロックおよび偶数ブロックともに画像表示状態になる。
【０１０３】
そして、第１走査線駆動回路２５ａにより、各奇数ライン（Ｈ１、Ｈ３、・・・、Ｈ７６７）に順にＨレベルのパルス信号が供給され、同時に信号線駆動回路２６から各画素部１７に対応する画像データが供給される。続けて、第２走査線駆動回路２５ｂにより、同様に各偶数ライン（Ｈ２、Ｈ４、・・・、Ｈ７６８）に順にＨレベルのパルス信号が供給され、同時に信号線駆動回路２６から各画素部１７に対応する画像データが供給される。このようにして、実施の形態１において示した図６と同様に、映像表示部２０に１フレーム分の２Ｄ画像が表示される。
【０１０４】
また、図１５に示すように、立体表示においては、１フレームの左眼に対応する画像データの書き込みが行われる期間には、第１制御部２３ａおよび第２制御部２３ｂから、画素部１７の選択素子１７ｃに対してそれぞれＬレベルおよびＨレベルの駆動信号（パルス信号）が供給される。これにより、表示装置１１は、奇数ブロックが画像非表示状態、偶数ブロックが画像表示状態になる。そして、同期間に、第１走査線駆動回路２５ａにより、各奇数ライン（Ｈ１、Ｈ３、・・・、Ｈ７６７）に順にＨレベルのパルス信号が供給される。したがって、１フレームの左眼に対する画像データの書き込みが行われている期間には、書き込まれている左眼に対応する映像信号は表示されず、全フレームの右眼に対応する映像信号が表示される。
【０１０５】
続けて、１フレームの右眼に対応する画像データの書き込みが行われる期間には、第１制御部２３ａおよび第２制御部２３ｂから、画素部１７の選択素子１７ｃに対してそれぞれＨレベルおよびＬレベルの駆動信号（パルス信号）が供給される。これにより、表示装置１１は、奇数ブロックが画像表示状態、偶数ブロックが画像非表示状態になる。そして、同期間に、第２走査線駆動回路２５ｂにより、各偶数ライン（Ｈ２、Ｈ４、・・・、Ｈ７６８）に順にＨレベルのパルス信号が供給される。したがって、１フレームの左眼に対する画像データの書き込みが行われている期間には、書き込まれている左眼に対応する映像信号は表示されず、全フレームの右眼に対応する映像信号が表示される。
【０１０６】
このようにして、実施の形態１に示した図８と同様に、映像表示部２０に１フレーム分の３Ｄ画像が表示される。したがって、実施の形態１に示した映像表示システムと同様に、駆動周波数を低減し、消費電力を低減して３Ｄ映像を表示することができる。
【０１０７】
なお、本実施の形態においても、実施の形態１と同様に、駆動素子１７ｂに電圧または電流を印加する電源部（図示せず）をＯＮまたはＯＦＦに制御することにより、表示装置１１を奇数ブロックまたは偶数ブロック単位で一括して画像表示状態または画像非表示状態にする構成としてもよい。この場合、選択素子１７ｃ、第３走査線駆動回路２５ｃおよび第４走査線駆動回路２５ｄを備える必要がないため、画素部１７および表示装置１１を小型化することができる。また、本実施の形態では、第１表示領域を奇数ブロック、第２表示領域を偶数ブロックとしたが、第１表示領域を映像表示部の上半分、第２表示領域を映像表示部の下半分としてもよい。
【０１０８】
（実施の形態３）
次に、本発明の変形例に係る映像表示システムについて説明する。
【０１０９】
本変形例が上記した実施の形態１と異なる点は、映像表示部に備えられた画素部が有機ＥＬ素子を有する代わりに液晶素子を有する点である。
【０１１０】
図１６は、本実施の形態に係る映像表示システムの表示装置の構成を示すブロック図である。同図に示すように、表示装置１１１は、映像表示部１２０と、信号入力部１２１と、信号処理部１２２と、制御回路１２３と、信号送信部１２４と、走査線駆動回路１２５と、信号線駆動回路１２６とを備えている。なお、映像表示部１２０、制御回路２３、走査線駆動回路１２５、信号線駆動回路１２６が、それぞれ本発明における表示部、表示制御部、走査線駆動部、データ線駆動部に相当する。また、信号入力部１２１、信号処理部１２２、制御回路１２３、信号送信部１２４、走査線駆動回路１２５、信号線駆動回路１２６は、実施の形態１で示した信号入力部２１、信号処理部２２、制御回路２３、信号送信部２４、スキャン信号転送部２５、信号線駆動回路２６と同様であるため、詳細な説明を省略する。
【０１１１】
映像表示部１２０は、画素部１１７を複数備えた行（ライン）を複数備え、映像信号出力部１１２から表示装置１１１に入力された映像信号に基づいて画像を表示する。各画素部１１７には、駆動素子１１７ｄ、１１７ｅを駆動させる走査信号を供給するゲート線Ｈｙ（ｙ＝１，２，…，ｙ−１，ｙ）、Ｈｚ（ｚ＝１，２，…，ｚ−１，ｚ）と、映像信号を各画素部１１７に供給するデータ線Ｖｘ（ｘ＝１，２，…，ｘ−１，ｘ）とが接続されている。また、映像表示部１２０は、ゲート線Ｈｙの奇数ラインに接続された複数の画素部１７により構成された奇数ブロックと、ゲート線Ｈｙの偶数ラインに接続された複数の画素部１７により構成された偶数ブロックにより構成されている。
【０１１２】
図１７は映像表示部１２０、制御回路１２３、走査線駆動回路１２５および信号線駆動回路１２６の詳細な構成を示した回路図である。同図に示すように、画素部１１７は、例えば、液晶電極１１７ａと、コンデンサ１１７ｂと、所望のラインの画素部１１７を選択するための選択素子１１７ｃと、液晶電極１１７ａへの電圧の供給を制御する駆動素子１１７ｄ、１１７ｅを備えている。そして、選択素子１１７ｃの動作により選択された画素部１１７では、上記した映像信号に応じてゲート線Ｈｙ、Ｈｚに入力された信号により駆動素子１１７ｄ、１１７ｅが駆動され、データ線Ｖｘから入力された信号により液晶電極１１７ａに電圧が供給されて液晶が駆動され、コンデンサ１１７ｂには電圧に応じた電荷が蓄積され映像表示が維持される。
【０１１３】
また、走査線駆動回路１２５は、図１７に示すように、第１走査線駆動回路１２５ａと、第２走査線駆動回路１２５ｂと、第３走査線駆動回路１２５ｃと、第４走査線駆動回路１２５ｄとを備えている。第１走査線駆動回路１２５ａおよび第２走査線駆動回路１２５ｂは、それぞれ、ゲート線Ｈｙ、Ｈｚの奇数ラインおよび偶数ラインの駆動を行う。第１走査線駆動回路１２５ａおよび第２走査線駆動回路１２５ｂは、制御回路１２３から供給される走査信号に基づいて、画素部１１７の駆動素子１１７ｄ、１１７ｅを駆動する。また、第３走査線駆動回路１２５ｃと、第４走査線駆動回路１２５ｄは、本発明における第１電源供給切替部および第２電源供給切替部に相当し、ゲート線Ｈｙ、Ｈｚの奇数ラインおよび偶数ラインを介して一括して各画素部１１７の選択素子１１７ｃに駆動信号を与えることにより、表示装置１１１を奇数ブロックまたは偶数ブロック単位で画像表示状態または画像非表示状態にする。
【０１１４】
このような構成により、液晶パネルディスプレイを表示装置として備えた映像表示システムであっても、実施の形態１に示した有機ＥＬパネルディスプレイを表示装置として備えた映像表示システムと同様の駆動方法で駆動することができ、駆動周波数を低減し、消費電力を低減して３Ｄ映像を表示することができる。
【０１１５】
なお、本実施の形態においても、上記した実施の形態１と同様に、駆動素子１１７ｄ、１１７ｅに電圧または電流を印加する電源部（図示せず）をＯＮまたはＯＦＦに制御することにより、表示装置１１１を奇数ブロックまたは偶数ブロック単位で一括して画像表示状態または画像非表示状態にする構成としてもよい。この場合、選択素子１１７ｃ、第３走査線駆動回路１２５ｃおよび第４走査線駆動回路１２５ｄを備える必要がないため、画素部１１７および表示装置１１１を小型化することができる。また、本実施の形態では、第１表示領域を奇数ブロック、第２表示領域を偶数ブロックとしたが、第１表示領域を映像表示部の上半分、第２表示領域を映像表示部の下半分としてもよい。
【０１１６】
（実施の形態４）
次に、本発明の実施の形態２に係る映像表示システムについて説明する。
【０１１７】
本実施の形態が上記した実施の形態１と異なる点は、表示装置１１１を奇数ブロックまたは偶数ブロック単位で画像表示状態または画像非表示状態にするために、第３走査線駆動回路および第４走査線駆動回路が走査線駆動回路１２５に設けられる代わりに、制御回路１２３に第１制御部１２３ａおよび第２制御部１２３ｂが設けられている点である。
【０１１８】
図１８は、表示装置１１１に設けられた映像表示部１２０、走査線駆動回路１２５、信号線駆動回路１２６および制御回路１２３の詳細な構成を示した図である。制御回路１２３は、同図に示すように、第１制御部１２３ａおよび第２制御部１２３ｂを備えている。また、第１制御部１２３ａおよび第２制御部１２３ｂは、本発明における第１電源供給切替部および第２電源供給切替部に相当し、ゲート線Ｈｙ、Ｈｚの奇数ラインおよび偶数ラインを介して一括して各画素部１１７の選択素子１１７ｃに駆動信号を与えることにより、表示装置１１１を奇数ラインまたは偶数ライン単位で画像表示状態または画像非表示状態にする。
【０１１９】
このような構成により、液晶パネルを表示装置として備えた映像表示システムであっても、実施の形態１に示した有機ＥＬパネルディスプレイを表示装置として備えた映像表示システムと同様の駆動方法で駆動することができ、駆動周波数を低減し、消費電力を低減して３Ｄ映像を表示することができる。
【０１２０】
なお、本実施の形態においても、上記した実施の形態１と同様に、駆動素子１１７ｄ、１１７ｅに電圧または電流を印加する電源部（図示せず）をＯＮまたはＯＦＦに制御することにより、表示装置１１１を奇数ブロックまたは偶数ブロック単位で一括して画像表示状態または画像非表示状態にする構成としてもよい。この場合、選択素子１１７ｃ、第３走査線駆動回路１２５ｃおよび第４走査線駆動回路１２５ｄを備える必要がないため、画素部１１７および表示装置１１１を小型化することができる。また、本実施の形態では、第１表示領域を奇数ブロック、第２表示領域を偶数ブロックとしたが、第１表示領域を映像表示部の上半分、第２表示領域を映像表示部の下半分としてもよい。
【０１２１】
なお、本発明は、上記した実施の形態に限定されるものではなく、本発明の要旨を逸脱しない範囲内で種々の改良、変形を行ってもよい。
【０１２２】
例えば、上記した実施の形態では、第１表示領域を奇数ブロック、第２表示領域を偶数ブロックとしたが、第１表示領域を映像表示部の上半分、第２表示領域を映像表示部の下半分としてもよい。また、映像表示部をさらに多くの表示領域に分割してもよい。
【０１２３】
また、上記した実施の形態では、第１電源供給切替部および第２電源供給切替部として、第３走査線駆動回路および第４走査線駆動回路、または、第１制御部および第２制御部を備えた映像表示システムを一例として説明したが、画素部の駆動素子に電圧または電流を印加する電源部（図示せず）を一括制御することにより、映像表示部を奇数ラインまたは偶数ライン毎に画像表示状態または画像非表示状態にする構成としてもよい。
【０１２４】
また、上記した実施の形態では、走査線駆動回路として第１走査線駆動回路および第２走査線駆動回路の２つを設けたが、走査線駆動回路は１つでもよく、この場合インターレーススキャン方式により、第１表示領域および第２表示領域に交互に映像信号を表示して、本発明と同様の効果を得ることが可能である。
【０１２５】
また、上記した実施の形態では、表示装置として、有機ＥＬパネルディスプレイおよび液晶パネルディスプレイを備えた映像表示システムを一例として説明したが、本発明は、これらのディスプレイを表示装置とした場合に限らず、その他の方式の表示装置を備えた映像表示システムに用いてもよい。
【０１２６】
また、メガネ部のシャッターは、液晶駆動方式に限らず、その他の駆動方式のシャッターであってもよい。
【０１２７】
また、メガネ部のエミッタは、メガネ部の本体に外付けとする構成であってもよい。また、エミッタが表示装置に内蔵されていてもよい。また、外付けされたエミッタは、メガネ部に有線接続されなくても、例えば赤外線などによって、エミッタとメガネ部の間で信号の送受信が行われる構成であってもよい。
【０１２８】
また、本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１２９】
本発明に係る立体表示装置の駆動方法および立体表示装置は、立体映像の表示に用いるディスプレイに利用可能であり、特に、ホールド型駆動の有機ＥＬパネルディスプレイに有用である。
【符号の説明】
【０１３０】
１    映像表示システム（立体表示装置）
１１、１１１    表示装置（画像表示手段）
１３    メガネ部（眼鏡）
１７、１１７    画素部（表示画素）
２０、１２０    映像表示部（表示部）
２３、１２３    制御回路（表示制御部）
２３ａ、１２３ａ  第１制御部（第１電源供給切替部）
２３ｂ、１２３ｂ  第２制御部（第２電源供給切替部）
２５、１２５    走査線駆動回路（走査線駆動部、表示制御部）
２５ａ、１２５ａ  第１走査線駆動回路（第１走査線駆動部）
２５ｂ、１２５ｂ  第２走査線駆動回路（第２走査線駆動部）
２５ｃ、１２５ｃ  第３走査線駆動回路（第１電源供給切替部）
２５ｄ、１２５ｄ  第４走査線駆動回路（第２電源供給切替部）
２６、１２６    信号線駆動回路（データ線駆動部、表示制御部）
【図１】
2011121654.tif 000003
【図２】
2011121654.tif 000004
【図３】
2011121654.tif 000005
【図４】
2011121654.tif 000006
【図５】
2011121654.tif 000007
【図６】
2011121654.tif 000008
【図７】
2011121654.tif 000009
【図８】
2011121654.tif 000010
【図９】
2011121654.tif 000011
【図１０】
2011121654.tif 000012
【図１１】
2011121654.tif 000013
【図１２】
2011121654.tif 000014
【図１３】
2011121654.tif 000015
【図１４】
2011121654.tif 000016
【図１５】
2011121654.tif 000017
【図１６】
2011121654.tif 000018
【図１７】
2011121654.tif 000019
【図１８】
2011121654.tif 000020
【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
右眼用の画像と左眼用の画像を順次表示する表示部を有する画像表示手段と、前記右眼用の画像および前記左眼用の画像を順次目視可能とする眼鏡とを用い、
前記表示部において、複数の行からなる第１表示領域の画像表示状態時に、前記第１表示領域の前記複数の行と異なる複数の行からなる前記第２表示領域への画像データ書き込みを行う第１のステップと、
前記第２表示領域への画像データ書き込み完了後に、前記第２表示領域を画像表示状態とすると共に、前記第１表示領域を画像非表示状態とする第２のステップと、
前記第２表示領域の画像表示状態時において、前記第１表示領域への画像データ書き込みを行う第３のステップと、
前記第１表示領域への画像データ書き込み完了後に、前記第１表示領域を画像表示状態とすると共に、前記第２表示領域を画像非表示状態とする第４のステップと、を含み、
前記第１から第４のステップを順次、繰り返して実行する、立体表示装置の駆動方法であって、
前記右眼用の画像および前記左眼用の画像をそれぞれ、前記第１表示領域または第２表示領域に対応させて第１グループと第２グループとに区分し、
前記第１から第４の４つのステップと、当該４つのステップに続く次の前記第１から第４の４つのステップとの合計８つのステップを含み、
前記第１のステップおよび前記第２のステップを実行する第１期間、前記第３のステップおよび前記第４のステップを実行する第２期間、前記次の第１のステップおよび前記次の第２のステップを実行する第３期間、乃至、前記次の第３のステップおよび前記次の第４のステップを実行する第４期間のうちのいずれかの期間において、
前記右眼用の画像の第１グループ、前記右眼用の画像の第２グループ、前記左眼用の画像の第１グループ、および前記左眼用の画像の第２グループの画像データを前記いずれかの期間にいずれか１グループを各々対応させて書き込み、当該画像について表示を行う、
立体表示装置の駆動方法。
【請求項２】
（削除）
【請求項３】
（削除）
【請求項４】
前記第１表示領域および前記第２表示領域のいずれか一方は、前記表示部の一端から数えて奇数番目の複数の行からなり、いずれか他方は、前記表示部の前記一端から数えて偶数番目の複数の行からなる、
請求項１に記載の立体表示装置の駆動方法。
【請求項５】
前記第１表示領域および前記第２表示領域の前記表示部のいずれか一方は、前記表示部の上側半分に位置する複数の行からなり、いずれか他方は、前記表示部の下側半分に位置する複数の行からなる、
請求項１に記載の立体表示装置の駆動方法。
【請求項６】
前記表示部は、有機ＥＬ素子を有する、
請求項１に記載の立体表示装置の駆動方法。
【請求項７】
右眼用の画像と左眼用の画像を順次表示する表示部を有する画像表示手段と、前記右眼用の画像および前記左眼用の画像を順次目視可能とする眼鏡とを用いた立体表示装置であって、
前記表示部は、
複数の表示画素が配置された複数の行からなる第１表示領域と、
前記第１表示領域の前記複数の行と異なる複数の行からなり、前記複数の表示画素とは異なる複数の表示画素を有する第２表示領域とを具備し、
前記第１表示領域および前記第２表示領域のいずれか一方は、前記表示部の上側半分に位置するラインからなり、いずれか他方は、前記表示部の下側半分に位置するラインからなり、
前記画像表示手段は、
前記第１表示領域および前記第２表示領域への画像データ書き込みを行うと共に、前記第１表示領域および前記第２表示領域の画像表示状態と画像非表示状態とを切り替える表示制御部とを具備し、
前記表示制御部は、
前記第１表示領域での画像表示状態時において、前記第２表示領域への画像データ書き込みを行い、
前記第２表示領域への画像データ書き込み完了後に、前記第２表示領域を画像表示状態とすると共に、前記第１表示領域を画像非表示状態とし、
前記第２表示領域での画像表示状態時において、前記第１表示領域へのデータ書き込みを行い、
前記第１表示領域への画像データ書き込み完了後に、前記第１表示領域を画像表示状態とすると共に、前記第２表示領域を画像非表示状態とする、
立体表示装置。
【請求項８】
（削除）
【請求項９】
（削除）
【請求項１０】
前記表示部は、有機ＥＬ素子を有する、
請求項７に記載の立体表示装置。
【請求項１１】
前記表示制御部は、
前記表示画素に行毎に走査信号を供給する走査線駆動部と、
前記表示画素の各々に画像データの書き込みを行うデータ線駆動部と、
前記表示画素に駆動電流または電圧を供給すると共に、駆動電流または電圧の供給の有無によって画像表示状態と画像非表示状態とを切り替える電源供給切替部と、を含む、
請求項７に記載の立体表示装置。
【請求項１２】
前記走査線駆動部は、
前記第１表示領域に属する前記表示画素に走査信号を供給する第１走査線駆動部と、
前記第１表示領域に属する前記表示画素を画像表示状態または画像非表示状態に切り替える第１電源供給切替部と、
前記第２表示領域に属する前記表示画素に走査信号を供給する第２走査線駆動部と、
前記第２表示領域に属する前記表示画素を画像表示状態または画像非表示状態に切り替える第２電源供給切替部と、を含む、
請求項１１に記載の立体表示装置。
【手続補正書】
【提出日】平成23年1月18日(2011.1.18)
【手続補正１】
【補正対象書類名】明細書
【補正対象項目名】全文
【補正方法】変更
【補正の内容】
【発明の詳細な説明】
【技術分野】
【０００１】
本発明は、立体映像の表示に適するように構成された立体表示装置の駆動方法および立体表示装置に関する。
【背景技術】
【０００２】
従来、立体映像を表示させるために各種の方式が検討されている。その一例として、立体映像を視認するための視差に対応した一方の眼用の映像信号および他方の眼用の映像信号を表示装置に交互に表示し、電子シャッター付のメガネ部のシャッターを切り替えることにより立体映像を生成する方式がある。
【０００３】
この方式では、立体映像の一画面の映像信号は、一方の眼用（右眼用）の画像データが設定された第１フレームの映像信号と他方の眼用（左眼用）の画像データが設定された第２フレームの映像信号とに分離される。そして、画素部に次の書き換え信号が入力されるまで前の画像の輝度が保持されるホールド型の表示方法により、第１フレームの映像信号と第２フレームの映像信号が交互に表示部に表示される。視聴者は、第１フレームおよび第２フレームに同期して左右のシャッターの開閉を行うメガネ部を介して一画面分の立体映像を認識できる。
【０００４】
具体的には、右眼用の画像データが設定された第１フレームの映像信号が表示されるときには、メガネ部の左眼シャッターが閉じて、視聴者は右眼用の映像信号を認識し、左眼用の画像データが設定された第２フレームの映像信号が表示されるときには、メガネ部の右眼シャッターが閉じて、視聴者は左眼用の映像信号を認識する。これによって、視聴者は立体映像を認識することができる（例えば、特許文献１参照）。
【０００５】
特許文献１に記載された立体表示装置では、表示部において映像信号が走査される走査線を奇数行（奇数ライン）群からなる奇数ブロック、偶数行（偶数ライン）群からなる偶数ブロックに２分割している。そして、例えば、右眼用の画像データが設定された第１フレームの映像信号は偶数ブロックに、左眼用の画像データが設定された第２フレームの映像信号は奇数ブロックに表示し、偶数ブロックに表示される映像信号は右眼で認識し、奇数ブロックに表示される映像信号は左眼で認識することができるように、メガネ部の駆動動作と表示部に表示される映像信号とを同期して制御している。
【先行技術文献】
【特許文献】
【０００６】
【特許文献１】特開昭６３−４６４１０号公報
【発明の概要】
【発明が解決しようとする課題】
【０００７】
しかし、上記従来の技術では、以下のような問題が生じていた。
【０００８】
即ち、上記した立体表示装置では、１フレーム内で左右眼用の映像を振り分けて表示部に表示するため、映像信号を表示部に表示する走査の駆動周波数が、立体表示を行わない場合に比べて高くなると共に、例えば、右眼シャッターが閉じているときに右眼用の映像信号が表示されている等の無駄な時間での発光により消費電力が増加していた。
【０００９】
また、左右眼用の映像信号を表示する際に、左右眼用の映像信号が視聴者に混合して認識されないように映像表示と黒表示を切り替えて立体表示を行う場合には、さらに駆動周波数を高くしたり、表示されている画像を一括して非表示とするなどの必要があったが、上記した特許文献１に記載された立体表示装置では、フリッカを低減するために走査線単位でメガネ部の左右のシャッターの開閉を行うこととなる。そのため、表示部への映像信号の表示は走査線単位で行われ、１フレーム分の映像信号を全面一括表示、または、全面一括非表示とすることができないため、無駄な時間での発光により消費電力が増加していた。
【００１０】
本発明は、上記問題点に鑑み、駆動周波数を上げることなく、かつ、消費電力を低減して立体映像を表示することができる立体表示装置の駆動方法および立体表示装置を提供することを目的とする。
【課題を解決するための手段】
【００１１】
上記課題を解決するために、本発明の一形態に係る映像表示システムは、右眼用の画像と左眼用の画像を順次表示する表示部を有する画像表示手段と、前記右眼用の画像および前記左眼用の画像を順次目視可能とする眼鏡とを用いた立体表示装置の駆動方法であって、前記表示部において、複数の行からなる第１表示領域の画像表示状態時に、前記第１表示領域の前記複数の行と異なる複数の行からなる第２表示領域への画像データ書き込みを行う第１のステップと、前記第２表示領域への画像データ書き込み完了後に、前記第２表示領域を画像表示状態とすると共に、前記第１表示領域を画像非表示状態とする第２のステップと、前記第２表示領域の画像表示状態時に、前記第１表示領域への画像データ書き込みを行う第３のステップと、前記第１表示領域への画像データ書き込み完了後に、前記第１表示領域を画像表示状態とすると共に、前記第２表示領域を画像非表示状態とする第４のステップと、を含み、前記第１から第４のステップを順次、繰り返して実行することを特徴とする。
【発明の効果】
【００１２】
本発明に係る立体表示装置の駆動方法および立体表示装置によれば、駆動周波数を上げることなく、かつ、消費電力を低減して立体映像を表示することができる。
【図面の簡単な説明】
【００１３】
【図１】図１は、本発明の実施の形態１に係る立体表示装置の構成を示すブロック図である。
【図２】図２は、図１における立体表示装置の構成を示すブロック図である。
【図３】図３は、図２における表示装置の一部の詳細な構成を示す回路図である。
【図４】図４は、図１におけるメガネ部の構成を示すブロック図である。
【図５】図５は、図１に示す立体表示装置の通常時（平面表示）の駆動タイミングを示すタイミングチャートである。
【図６】図６は、表示映像の一例を示す図である。
【図７】図７は、図１に示す立体表示装置の立体表示時の駆動タイミングを示すタイミングチャートである。
【図８】図８は、表示映像の一例を示す図である。
【図９】図９は、図１に示す立体表示装置の動作を示すフローチャートである。
【図１０】図１０は、輝度同等時の表示映像を示した図であり、（ａ）は本発明における駆動方法、（ｂ）は従来技術である左右映像分割における駆動方法、（ｃ）は従来技術である黒挿入を設けた左右映像分割における駆動方法による表示映像を示す。
【図１１】図１１は、垂直解像度同等時の表示映像を示した図であり、（ａ）は本発明における駆動方法、（ｂ）は従来技術である左右映像分割における駆動方法、（ｃ）は従来技術である黒挿入を設けた左右映像分割における駆動方法による表示映像を示す。
【図１２】図１２は、スキャン同等時の表示映像を示した図であり、（ａ）は本発明における駆動方法、（ｂ）は従来技術である左右映像分割における駆動方法、（ｃ）は従来技術である黒挿入を設けた左右映像分割における駆動方法による表示映像を示す。
【図１３】図１３は、実施の形態２における表示装置の一部の詳細な構成を示す回路図である。
【図１４】図１４は、図１３に示す立体表示装置の通常時（平面表示）の駆動タイミングを示すタイミングチャートである。
【図１５】図１５は、図１３に示す立体表示装置の立体表示時の駆動タイミングを示すタイミングチャートである。
【図１６】図１６は、実施の形態３における立体表示装置の構成を示すブロック図である。
【図１７】図１７は、図１６における表示装置の一部の詳細な構成を示す回路図である。
【図１８】図１８は、実施の形態４における表示装置の一部の詳細な構成を示す回路図である。
【発明を実施するための形態】
【００１４】
本発明の一形態に係る立体表示装置の駆動方法は、右眼用の画像と左眼用の画像を順次表示する表示部を有する画像表示手段と、前記右眼用の画像および前記左眼用の画像を順次目視可能とする眼鏡とを用いた立体表示装置の駆動方法であって、前記表示部において、複数の行からなる第１表示領域の画像表示状態時に、前記第１表示領域の前記複数の行と異なる複数の行からなる第２表示領域への画像データ書き込みを行う第１のステップと、前記第２表示領域への画像データ書き込み完了後に、前記第２表示領域を画像表示状態とすると共に、前記第１表示領域を画像非表示状態とする第２のステップと、前記第２表示領域の画像表示状態時に、前記第１表示領域への画像データ書き込みを行う第３のステップと、前記第１表示領域への画像データ書き込み完了後に、前記第１表示領域を画像表示状態とすると共に、前記第２表示領域を画像非表示状態とする第４のステップと、を含み、前記第１から第４のステップを順次、繰り返して実行するものである。
【００１５】
本態様によると、表示部を行（ライン）単位で２つの表示領域に分割し、一方の表示領域での表示時に、他方の表示領域を非表示として画像データ書き込みを行うため、従来の立体表示の駆動方法に比べて、駆動周波数を例えば１／４に低減することができ、消費電力を削減して立体映像を表示することができる。
【００１６】
また、本発明の一形態に係る立体表示装置の駆動方法は、前記右眼用の画像および前記左眼用の画像をそれぞれ、前記第１表示領域または前記第２表示領域に対応させ、前記第１のステップで、前記第２表示領域に対応させた前記右眼用の画像および前記左眼用の画像のいずれか一方の画像データを前記第２表示領域に書き込み、前記第２のステップで、当該画像について表示を行い、前記第３のステップで、前記第１表示領域に対応させた前記右眼用の画像および前記左眼用の画像のいずれか他方の画像データを前記第１表示領域に書き込み、前記第４のステップで、当該画像について表示を行うものである。
【００１７】
本態様によると、右眼用の画像データおよび左眼用の画像データをそれぞれ、第１表示領域または第２表示領域に対応させて当該画像について書き込みおよび表示を行うため、メガネ部のシャッターに同期させて左右眼に対応した映像信号を効率よく表示することができる。
【００１８】
また、本発明の一形態に係る立体表示装置の駆動方法は、前記右眼用の画像および前記左眼用の画像をそれぞれ、前記第１表示領域または第２表示領域に対応させて第１グループと第２グループとに区分し、前記第１から第４の４つのステップと、当該４つのステップに続く次の前記第１から第４の４つのステップとの合計８つのステップを含み、前記第１のステップおよび前記第２のステップを実行する第１期間、前記第３のステップおよび前記第４のステップを実行する第２期間、前記次の第１のステップおよび前記次の第２のステップを実行する第３期間、乃至、前記次の第３のステップおよび前記次の第４のステップを実行する第４期間のうちのいずれかの期間において、前記右眼用の画像の第１グループ、前記右眼用の画像の第２グループ、前記左眼用の画像の第１グループ、および前記左眼用の画像の第２グループの画像データを前記いずれかの期間にいずれか１グループを各々対応させて書き込み、当該画像について表示を行うものである。
【００１９】
本態様によると、従来の立体表示の駆動方法と実質的に同等の垂直解像度を確保しつつ、駆動周波数を上げることなく消費電力を低減して立体映像を表示することができる。
【００２０】
また、本発明の一形態に係る立体表示装置の駆動方法は、前記第１表示領域および前記第２表示領域のいずれか一方は、前記表示部の一端から数えて奇数番目の複数の行からなり、いずれか他方は、前記表示部の前記一端から数えて偶数番目の複数の行からなるものである。
【００２１】
また、本発明の一形態に係る立体表示装置の駆動方法は、前記第１表示領域および前記第２表示領域の前記表示部のいずれか一方は、前記表示部の上側半分に位置する複数の行からなり、いずれか他方は、前記表示部の下側半分に位置する複数の行からなるものである。
【００２２】
また、本発明の一形態に係る立体表示装置の駆動方法は、前記表示部は、有機ＥＬ素子を有するものである。
【００２３】
本態様によると、表示部が有機ＥＬ素子からなるので表示部がＬＣＤからなる立体表示装置に比べて素早く駆動することができ、駆動時間を短縮することができる。
【００２４】
本発明の一形態に係る立体表示装置は、右眼用の画像と左眼用の画像を順次表示する表示部を有する画像表示手段と、前記右眼用の画像および前記左眼用の画像を順次目視可能とする眼鏡とを用いた立体表示装置であって、前記表示部は、複数の表示画素が配置された複数の行からなる第１表示領域と、前記第１表示領域の前記複数の行と異なる複数の行からなり、前記複数の表示画素とは異なる複数の表示画素を有する第２表示領域とを具備し、前記画像表示手段は、前記第１表示領域および前記第２表示領域への画像データ書き込みを行うと共に、前記第１表示領域および前記第２表示領域の画像表示状態と画像非表示状態とを切り替える表示制御部を具備し、前記表示制御部は、前記第１表示領域での画像表示状態時に、前記第２表示領域への画像データ書き込みを行い、前記第２表示領域への画像データ書き込み完了後に、前記第２表示領域を画像表示状態とすると共に、前記第１表示領域を画像非表示状態とし、前記第２表示領域での画像表示状態時に、前記第１表示領域へのデータ書き込みを行い、前記第１表示領域への画像データ書き込み完了後に、前記第１表示領域を画像表示状態とすると共に、前記第２表示領域を画像非表示状態とするものである。
【００２５】
本態様によると、表示部を行（ライン）単位で２つの表示領域に分割し、一方の表示領域での表示時に、他方の表示領域を非表示として画像データ書き込みを行うため、従来の立体表示の駆動方法に比べて、駆動周波数を低減しつつ、消費電力を削減して立体映像を表示することができる。
【００２６】
また、本発明の一形態に係る立体表示装置は、前記第１表示領域および前記第２表示領域のいずれか一方は、前記表示部の一端から数えて奇数番目の複数の行からなり、いずれか他方は、前記表示部の前記一端から数えて偶数番目の複数の行からなるものである。
【００２７】
また、本発明の一形態に係る立体表示装置は、前記第１表示領域および前記第２表示領域のいずれか一方は、前記表示部の上側半分に位置する複数の行からなり、いずれか他方は、前記表示部の下側半分に位置する複数の行からなるものである。
【００２８】
また、本発明の一形態に係る立体表示装置は、前記表示部は、有機ＥＬ素子を有するものである。
【００２９】
本態様によると、表示部が有機ＥＬ素子からなるので表示部がＬＣＤからなる立体表示装置に比べて素早く駆動することができ、駆動時間を短縮することができる。
【００３０】
また、本発明の一形態に係る立体表示装置は、前記表示制御部は、前記表示画素に行毎に走査信号を供給する走査線駆動部と、前記表示画素の各々に画像データの書き込みを行うデータ線駆動部と、前記表示画素に駆動電流または電圧を供給すると共に、駆動電流または電圧の供給の有無によって画像表示状態と画像非表示状態とを切り替える電源供給切替部とを含むものである。
【００３１】
本態様によると、電源供給切替部により、表示画素に駆動電流または電圧を供給すると共に、画像表示状態と画像非表示状態とを一括して切り替えることができるので、１フレーム分の画像情報を全面一括表示、または、全面一括非表示とすることにより余分な消費電力を低減することができる。
【００３２】
また、本発明の一形態に係る立体表示装置は、前記走査線駆動部は、前記第１表示領域に属する前記表示画素に走査信号を供給する第１走査線駆動部と、前記第１表示領域に属する前記表示画素を画像表示状態または画像非表示状態に切り替える第１電源供給切替部と、前記第２表示領域に属する前記表示画素に走査信号を供給する第２走査線駆動部と、前記第２表示領域に属する前記表示画素を画像表示状態または画像非表示状態に切り替える第２電源供給切替部とを含むものである。
【００３３】
本態様によると、走査線駆動部および電源供給切替部がそれぞれ２つずつ設けられているので、表示部を２ブロックに分割した場合に、ブロック毎に１フレーム分の映像信号を全面一括表示、または、全面一括非表示とすることにより余分な消費電力を効率よく低減することができる。
【００３４】
以下、本発明の実施の形態に係る立体表示装置を備えた映像表示システムについて図面に基づき説明する。なお、以下では、全ての図を通じて同一または相当する要素には同じ符号を付して、その重複する説明を省略する。
【００３５】
（実施の形態１）
本実施の形態１に係る立体表示装置は、右眼用の画像と左眼用の画像を順次表示する表示部を有する画像表示手段と、右眼用の画像および左眼用の画像を順次目視可能とする眼鏡とを用いた立体表示装置の駆動方法であって、表示部において、複数の行からなる第１表示領域の画像表示状態時に、第１表示領域の複数の行と異なる複数の行からなる第２表示領域への画像データ書き込みを行う第１のステップと、第２表示領域への画像データ書き込み完了後に、第２表示領域を画像表示状態とすると共に、第１表示領域を画像非表示状態とする第２のステップと、第２表示領域の画像表示状態時に、第１表示領域への画像データ書き込みを行う第３のステップと、第１表示領域への画像データ書き込み完了後に、第１表示領域を画像表示状態とすると共に、第２表示領域を画像非表示状態とする第４のステップとを含み、第１から第４のステップを順次繰り返して実行することを特徴とする。
【００３６】
このような構成により、従来の立体表示の駆動方法に比べて、駆動周波数を例えば１／４に低減することができ、消費電力を削減して立体映像を表示することができる。
【００３７】
以下に、本実施の形態について、有機ＥＬパネルディスプレイを備えた映像表示システムを例として、図面を参照しながら説明する。
【００３８】
図１は、本発明に係る映像表示システムの構成を示すブロック図である。同図に示すように、映像表示システム１は、表示装置１１と、映像信号出力部１２と、メガネ部１３とを備えている。なお、映像表示システム１が本発明における立体表示装置、表示装置１１が本発明における画像表示手段に相当する。
【００３９】
映像信号出力部１２は、映像信号を表示装置１１に出力すると共に、同期信号をメガネ部１３に出力する。ここで、映像信号は、立体映像または平面映像のいずれであってもよい。また、同期信号は、表示装置１１に出力される映像信号が右眼用の画像データであるか左眼用の画像データであるかをメガネ部１３に伝達するための信号である。
【００４０】
図２は、図１における表示装置１１の構成を示すブロック図である。同図に示すように、表示装置１１は、映像表示部２０と、信号入力部２１と、信号処理部２２と、制御回路２３と、信号送信部２４と、スキャン信号転送部２５と、信号線駆動回路２６とを備えている。なお、映像表示部２０、スキャン信号転送部２５、信号線駆動回路２６が、それぞれ本発明における表示部、走査線駆動部、データ線駆動部に相当する。また、制御回路２３、スキャン信号転送部２５、信号線駆動回路２６が、本発明における表示制御部に相当する。
【００４１】
映像表示部２０は、画素部１７を複数備えた行（ライン）を複数備え、映像信号出力部１２から表示装置１１に入力された画像データに基づいて映像信号を表示する。各画素部１７には、後に説明する駆動素子１７ｂを駆動させる走査信号を供給するゲート線Ｈｙ（ｙ＝１，２，…，ｙ−１，ｙ）と、画像データを各画素部１７に供給するデータ線Ｖｘ（ｘ＝１，２，…，ｘ−１，ｘ）とが接続されている。また、映像表示部２０は、ゲート線Ｈｙの奇数ラインに接続された複数の画素部１７により構成された奇数ブロックと、ゲート線Ｈｙの偶数ラインに接続された複数の画素部１７により構成された偶数ブロックにより構成されている。ここで、奇数ブロックおよび偶数ブロックがそれぞれ本発明における第１表示領域および第２表示領域に相当する。なお、第１表示領域および第２表示領域は、奇数ブロックおよび偶数ブロックに限らず、例えば、第１表示領域を映像表示部の上側半分、第２表示領域を映像表示部の下側半分としてもよい。
【００４２】
図３は映像表示部２０、制御回路２３、スキャン信号転送部２５および信号線駆動回路２６の詳細な構成を示した回路図である。同図に示すように、画素部１７は、例えば、発光素子１７ａと発光素子１７ａへの電流の供給を制御する駆動素子１７ｂと、所望のラインの画素部１７を選択するための選択素子１７ｃとを備えている。そして、選択素子１７ｃの動作により選択された画素部１７では、上記した映像信号に応じて、ゲート線Ｈｙに入力された信号により駆動素子１７ｂが駆動され、データ線Ｖｘから入力された信号により発光素子１７ａに電流が供給されて、発光素子１７ａが発光する。
【００４３】
また、図２に示すように、信号入力部２１は、右眼用の画像データと左眼用の画像データとが未分離の映像信号を、表示装置１１の外部に設けられた映像信号出力部１２から受信し、信号処理部２２に供給する。
【００４４】
信号処理部２２は、上記した未分離の映像信号から右眼用および左眼用の画像データを分離して、右眼用および左眼用の画像データを制御回路２３に出力する。また、右眼用および左眼用の画像データの切替えタイミングを示す映像同期信号を信号送信部２４へ供給する。
【００４５】
制御回路２３は、信号処理部２２から入力された右眼用および左眼用の画像データに対応してスキャン信号転送部２５を駆動するための走査信号を生成し、スキャン信号転送部２５へ供給する。具体的には、スキャン信号転送部２５に、一画面（１フレーム）における右眼用の画像データを、映像表示部２０の奇数ブロックの先頭ラインに相当するゲート線Ｈ１から奇数ブロックの最終ラインに相当するゲート線Ｈｙ−１へ１ラインおきに走査させ、右眼用の画像データに後続する左眼用の画像データを、映像表示部２０の偶数ブロックの先頭ラインに相当するゲート線Ｈ２から偶数ブロックの最終ラインに相当するゲート線Ｈｙへ１ラインおきに走査させるための走査信号を供給する。また、制御回路２３は、信号処理部２２から入力された右眼用および左眼用の画像データを信号線駆動回路２６に供給する。
【００４６】
信号送信部２４は、信号処理部２２から供給された映像同期信号を、メガネ部１３へ送信する。
【００４７】
スキャン信号転送部２５は、シフトレジスタなどの切替えスイッチを有する構成であり、制御回路２３から供給された走査信号を、ゲート線Ｈｙを介して映像表示部２０に設けられた画素部１７に供給し、駆動素子１７ｂを駆動して、画像データに応じて発光素子１７ａを発光させる。
【００４８】
ここで、スキャン信号転送部２５は、図３に示すように、第１走査線駆動回路２５ａと、第２走査線駆動回路２５ｂと、第３走査線駆動回路２５ｃと、第４走査線駆動回路２５ｄとを備えている。第１走査線駆動回路２５ａおよび第２走査線駆動回路２５ｂは、それぞれ、ゲート線Ｈｙの奇数ラインおよび偶数ラインの駆動を行う。第１走査線駆動回路２５ａおよび第２走査線駆動回路２５ｂは、制御回路２３から供給される走査信号に基づいて、画素部１７の駆動素子１７ｂを駆動する。また、第３走査線駆動回路２５ｃと、第４走査線駆動回路２５ｄは、本発明における第１電源供給切替部および第２電源供給切替部に相当し、ゲート線Ｈｙの奇数ラインおよび偶数ラインを介して一括して各画素部１７の選択素子１７ｃに駆動信号を与えることにより、表示装置１１を奇数ブロックまたは偶数ブロック単位で画像表示状態または画像非表示状態にする。
【００４９】
信号線駆動回路２６は、スキャン信号転送部２５により走査されるゲート線Ｈｙが接続された各画素部１７で表示されるべき映像信号を、データ線Ｖｘを介して各画素部１７へ供給する。このとき、一画面（１フレーム）における右眼用の画像データを、映像表示部２０の奇数ブロックの先頭ラインに相当するゲート線Ｈ１から奇数ブロックの最終ラインに相当するゲート線Ｈｙ−１へ供給する。また、右眼用の画像データに後続する左眼用の画像データを、映像表示部２０の偶数ブロックの先頭ラインに相当するゲート線Ｈ２から偶数ブロックの最終ラインに相当するゲート線Ｈｙへ供給する。
【００５０】
次に、メガネ部１３について説明する。
【００５１】
メガネ部１３は、図１に示すように、右眼シャッター１３ａと左眼シャッター１３ｂとを有している。
【００５２】
図４は、メガネ部１３の構成を示すブロック図である。同図に示すように、メガネ部１３は、エミッタ３０と、信号受信部３５と、シャッター切替部３６とを備えている。また、エミッタ３０は、メガネ同期制御部３１と、信号送信部３２とを備えている。ここで、エミッタ３０は、メガネ部１３に設けられなくても、外付けとする構成であってもよく、表示装置１１に内蔵されていてもよい。また、有線接続されなくても、例えば赤外線などによって、信号の送受信が行われる構成であってもよい。
【００５３】
メガネ同期制御部３１は、表示装置１１から出力された映像同期信号と、映像信号出力部１２から出力された同期信号を受信し、メガネ制御信号を生成する。メガネ制御信号は、各フレームの映像同期信号が開始されてから所定の期間は、右眼シャッター１３ａまたは左眼シャッター１３ｂのいずれかを開口し、所定期間経過後は開口していた右眼シャッター１３ａまたは左眼シャッター１３ｂを閉口する制御信号である。これにより、右眼シャッター１３ａおよび左眼シャッター１３ｂの開閉を切り替えるときに、シャッターの双方を閉状態とする制御が行われる。
【００５４】
その後、メガネ同期制御部３１は、映像同期信号とメガネ制御信号を信号送信部３２に出力する。
【００５５】
信号送信部３２は、受信した映像同期信号とメガネ制御信号をさらに信号受信部３５に供給する。このとき、例えば、エミッタ３０がメガネ部１３に外付けされる構成であれば、赤外線通信方式により、信号送信部３２からメガネ部１３の信号受信部３５にこれらの信号が送信される。
【００５６】
信号受信部３５は、映像同期信号とメガネ制御信号を受信すると、シャッター切替部３６にこれらの信号を供給する。そして、シャッター切替部３６は、映像同期信号に同期して、メガネ制御信号によりメガネ部１３の右眼シャッター１３ａおよび左眼シャッター１３ｂの開閉を制御する。メガネ部１３のシャッターの開閉は、例えば液晶駆動方式であり、この場合、印加電圧を制御することによりシャッターの開閉が行われる。これにより、視聴者は、右眼用の映像信号を右眼で、左眼用の映像信号を左眼で認識することが可能となる。なお、シャッターは液晶駆動方式に限らず、その他の駆動方式のシャッターであってもよい。
【００５７】
次に、表示装置１１の駆動動作についてタイミングチャートを用いて説明する。
【００５８】
図５は、通常時（平面表示）における表示装置１１の１フレームの駆動タイミングを示すタイミングチャート、図６は、通常時（平面表示）の表示映像の一例を示す図である。また、図７は、立体表示時における表示装置１１の１フレームの駆動タイミングを示すタイミングチャート、図８は、立体表示時の表示映像の一例を示す図である。なお、これらの図では、一例として映像表示部２０の走査線が７６８ラインの場合を示している。また、図６および図８では、ハッチングで示した部分が、視聴者が見ることができる映像信号である。
【００５９】
図５に示すように、平面表示においては、第３走査線駆動回路２５ｃおよび第４走査線駆動回路２５ｄから、画素部１７の選択素子１７ｃに対して常にＨレベルの駆動信号（パルス信号）が供給される。これにより、表示装置１１は、奇数ブロックおよび偶数ブロックともに画像表示状態になる。なお、選択素子１７ｃに供給される駆動信号は、Ｌレベルのときに画像表示状態となるようにしてもよい。
【００６０】
そして、第１走査線駆動回路２５ａにより、各奇数ライン（Ｈ１、Ｈ３、・・・、Ｈ７６７）に順にＨレベルのパルス信号が供給され、同時に信号線駆動回路２６から各画素部１７に対応する画像データが供給される。続けて、第２走査線駆動回路２５ｂにより、同様に各偶数ライン（Ｈ２、Ｈ４、・・・、Ｈ７６８）に順にＨレベルのパルス信号が供給され、同時に信号線駆動回路２６から各画素部１７に対応する画像データが供給される。このようにして、映像表示部２０に１フレーム分の２Ｄ画像が表示される。
【００６１】
図６は、上記した走査により表示される表示映像の一例を示す図である。
【００６２】
図６は、映像表示部の１列分の画素部について、映像表示部に表示される映像信号の表示時間を示している。同図の縦軸は、画面垂直方向を示し、横軸は時間を示している。また、同図において上半分は複数の偶数ラインをまとめて表示した偶数ブロック、下半分は複数の奇数ラインをまとめて表示した奇数ブロックを示している。
【００６３】
すなわち、映像表示部２０の奇数ブロックから偶数ブロックへ連続して、それぞれ映像表示部２０の上側の走査線に接続された画素部１７から下側の走査線に接続された画素部１７に、順に画像データが供給され、対応する映像信号が表示されることを示している。
【００６４】
なお、平面表示においては、偶数ブロックおよび奇数ブロック毎に映像信号を表示しなくても、データ線Ｈ１からＨ７６８まで奇数ラインおよび偶数ライン交互に映像信号を表示してもよい。
【００６５】
また、図７に示すように、立体表示においては、１フレームの左眼に対応する映像信号が表示され右眼に対応する画像データの書き込みが行われる期間には、第３走査線駆動回路２５ｃおよび第４走査線駆動回路２５ｄから、画素部１７の選択素子１７ｃに対してそれぞれＬレベルおよびＨレベルの駆動信号（パルス信号）が供給される。これにより、表示装置１１は、奇数ブロックが画像非表示状態、偶数ブロックが画像表示状態になる。そして、同期間に、第１走査線駆動回路２５ａにより、各奇数ライン（Ｈ１、Ｈ３、・・・、Ｈ７６７）に順にＨレベルのパルス信号が供給される。
【００６６】
続けて、１フレームの右眼に対応する映像信号が表示され左眼に対応する画像データの書き込みが行われる期間には、第３走査線駆動回路２５ｃおよび第４走査線駆動回路２５ｄから、画素部１７の選択素子１７ｃに対してそれぞれＨレベルおよびＬレベルの駆動信号（パルス信号）が供給される。これにより、表示装置１１は、奇数ブロックが画像表示状態、偶数ブロックが画像非表示状態になる。そして、同期間に、第２走査線駆動回路２５ｂにより、各偶数ライン（Ｈ２、Ｈ４、・・・、Ｈ７６８）に順にＨレベルのパルス信号が供給される。
【００６７】
つまり、制御回路２３による制御により、奇数ブロックに右眼用の映像信号が表示されている状態時に、偶数ブロックの画素部１７への左眼用の画像データ書き込みが行われ、偶数ブロックの画素部１７への左眼用の画像データ書き込み完了後に、偶数ブロックに左眼用の映像信号が表示されている状態とすると共に、奇数ブロックを映像信号が表示されない状態とし、偶数ブロックに左眼用の映像信号が表示されている状態時に、奇数ブロックの画素部１７への右眼用の画像データ書き込みが行われ、奇数ブロックの画素部１７への右眼用の画像データ書き込み完了後に、奇数ブロックに右眼用の映像信号が表示されている状態とすると共に、偶数ブロックを映像信号が表示されない状態とし、これを順次繰り返して映像表示部２０に１フレーム分の３Ｄ画像が表示される。
【００６８】
図８は、上記した走査により表示される表示映像の一例を示す図である。
【００６９】
図８に示すように、映像表示部２０の奇数ブロックから偶数ブロックへ連続して、それぞれ映像表示部２０の上側の走査線に接続された画素部１７から下側の走査線に接続された画素部１７に、順に画像データの書き込みが行われる。
【００７０】
ここで、図８に示すサブフレーム１−Ａの期間において、奇数ブロックは画像非表示状態であるため、映像表示部２０の画素部１７に右眼用の画像データの書き込みが行われているものの、奇数ブロックでは映像信号は映像表示部２０に表示されていない。また、偶数ブロックは画像表示状態であるため、前フレームで偶数ブロックの画素部１７に書き込まれた左眼用の画像データが映像信号として表示される。
【００７１】
また、図８に示すサブフレーム１−Ａに続くサブフレーム１−Ｂの期間において、偶数ブロックは画像非表示状態であるため、映像表示部２０の画素部１７に次のサブフレームの画像データの書き込みが行われているものの、偶数ブロックでは映像信号は映像表示部２０に表示されていない。また、奇数ブロックは画像表示状態であるため、同フレームで奇数ブロックの画素部１７に書き込まれた右眼用の画像データが映像信号として表示される。
【００７２】
また、図８に示すサブフレーム１−Ｂに続くサブフレーム２−Ａの期間においては、左眼用・右眼用いずれの画像データを映像信号として表示することも可能であるが、図８に示したように、サブフレーム２−Ａの期間において右眼用の画像データを映像信号として表示し、サブフレーム２−Ｂの期間において左眼用の画像データを映像信号として表示するほうが、フリッカ防止の点から好ましい。このような駆動方法により、立体表示の場合であっても映像信号の駆動周波数を上げることなく、図６で示した平面表示の場合と同じ駆動周波数で映像信号を走査することができる。
【００７３】
図９に、上記した駆動タイミングで映像表示システム１が動作するためのフローチャートを示す。
【００７４】
映像信号出力部１２から出力された１フレームの右眼用の映像信号は、表示装置１１の信号入力部２１で受信される（ステップＳ１０）。この映像信号には、右眼用および左眼用の映像の切替えタイミングを示す映像同期信号と、立体映像に関する情報を含んだ３Ｄ信号が付加されている。なお、立体映像でない場合には、映像信号に３Ｄ信号は付加されていない。そして、映像信号を受信した信号入力部２１から信号処理部２２に、映像信号が供給される。
【００７５】
信号処理部２２は、供給された映像信号を解析して（ステップＳ１１）、映像信号から映像同期信号、３Ｄ信号を分離する。そして、映像信号に３Ｄ信号が付加されているかどうかを検出し（ステップＳ１２）、映像信号を立体表示または平面表示するための制御信号を生成し、制御回路２３に出力する。ここで、映像信号に３Ｄ信号が付加されている場合には、信号処理部２２は、さらに、映像信号から右眼用の画像データと左眼用の画像データを分離している。
【００７６】
また、映像信号に３Ｄ信号が付加されている場合には、信号処理部２２は、映像同期信号を、信号処理部２２から信号送信部２４を介してメガネ部１３へ出力する。そして、映像同期信号を受信したメガネ部１３では、シャッターメガネ動作が行われる（ステップＳ１３）。
【００７７】
また、３Ｄ信号が右眼用の画像データである場合には（ステップＳ１４）、映像表示部２０の奇数ブロックを一括非表示状態、偶数ブロックを一括表示状態とする制御が行われる（ステップＳ１５）。つまり、上記したように、制御回路２３によりスキャン信号転送部２５の第３走査線駆動回路２５ｃから奇数ラインの画素部１７の選択素子１７ｃにＬレベルのパルス信号が供給され、第４走査線駆動回路２５ｄから偶数ラインの画素部１７の選択素子１７ｃにＨレベルのパルス信号が供給され、偶数ブロックの画素部１７に書き込まれた左眼用の映像信号が映像表示部２０に表示されると共に、奇数ブロックの画素部１７に次に表示される右眼用の画像データの書き込みが行われる（ステップＳ１７）。
【００７８】
また、３Ｄ信号が右眼用の画像データでない、つまり、左眼用の画像データである場合には（ステップＳ１４）、映像表示部２０の偶数ブロックを一括非表示状態、奇数ブロックを一括表示状態とする制御が行われる（ステップＳ１６）。つまり、上記したように、制御回路２３によりスキャン信号転送部２５の第４走査線駆動回路２５ｄから偶数ラインの画素部１７の選択素子１７ｃにＬレベルのパルス信号が供給され、第３走査線駆動回路２５ｃから奇数ラインの画素部１７の選択素子１７ｃにＨレベルのパルス信号が供給され、奇数ブロックの画素部１７に書き込まれた右眼用の映像信号が映像表示部２０に表示されると共に、偶数ブロックの画素部１７に次に表示される左眼用の画像データの書き込みが行われる（ステップＳ１７）。
【００７９】
なお、映像信号に３Ｄ信号が付加されていない場合、つまり、映像信号が２Ｄ映像であるには、メガネ部１３の、シャッターメガネ動作は非動作とされる（ステップＳ１８）。
【００８０】
上記した表示装置１１の駆動方法では、従来技術における駆動方法の場合と比べて、映像信号の輝度は同等に表示される。ここで、上記した駆動方法と、従来技術である左右映像分割による駆動方法および黒挿入を設けた左右映像分割による駆動方法による表示映像の効果の違いについて説明する。
【００８１】
図１０は、表示映像の輝度が同等になるように各駆動方式により駆動したときの表示映像を示した図であり、同図（ａ）は本発明における駆動方法、同図（ｂ）は従来技術である左右映像分割における駆動方法、同図（ｃ）は従来技術である黒挿入を設けた左右映像分割における駆動方法による表示映像をそれぞれ示している。ここで、縦軸は画面垂直方向を示し、横軸は時間を示している。また、同図（ａ）〜（ｃ）において太枠で示した領域は、メガネ部１３の左眼シャッター１３ｂが開状態であることを示している。なお、図１０（ａ）では、表示映像の上半分が奇数ブロック、下半分が偶数ブロックを示している。また、同図（ａ）および同図（ｃ）において、斜線で示したハッチング部分は、映像信号が表示されていないことを示している。
【００８２】
図１０（ａ）に示す本発明における駆動方法では、透過輝度は、垂直５０％×デューティ１００％＝５０％である。つまり、本発明における駆動方法では、奇数ブロックまたは偶数ブロック毎に映像信号が表示されるので、視聴者が認識する画面垂直方向の輝度は全画面に映像信号が表示された場合の５０％（上記した「垂直５０％」）となる。また、左眼シャッターまたは右眼シャッターの開口時間は、１フレームにおける左眼または右眼用の映像信号のスキャン時間（１フレームの１／２の時間）をデューティ１００％とすると、１回の開口につきデューティ１００％となる。したがって、透過輝度は上記したように５０％と表される。
【００８３】
また、図１０（ｂ）に示す従来技術である左右映像分割における駆動方法では、右眼シャッター１３ａまたは左眼シャッター１３ｂの開口時間は、１回の開口につきデューティ５０％となるので、透過輝度は５０％と表される。
【００８４】
また、図１０（ｃ）に示す従来技術である黒挿入を設けた左右映像分割における駆動方法では、透過輝度は黒５０％×デューティ１００％＝５０％と表される。つまり、左眼用の映像信号および右眼用の映像信号がスキャンされる間に、黒信号が表示される期間が設けられているので（上記した「黒５０％」）、この黒信号表示時間にも右眼シャッターまたは左眼シャッターを開口しておくことが可能であり、１回の開口につきデューティ１００％と表される。したがって、透過輝度は５０％と表される。
【００８５】
ここで、各駆動方法における映像信号の駆動周波数（スキャン周波数）の違いについて説明する。人間の左右眼の視差により立体映像を認識するためには、片目１フレームの映像信号のフレーム周波数は概ね６０Ｈｚ以上である必要がある。図１０（ａ）に示す本発明における駆動方法において片目１フレームの映像信号のフレーム周波数を６０Ｈｚとすると、映像信号の駆動周波数（スキャン周波数）は６０Ｈｚである。
【００８６】
ここで、従来技術である左右映像分割における駆動方法においては、映像表示部２０の奇数ブロックおよび偶数ブロック毎の映像信号の書き込みや一括表示を行わないので、図１０（ｂ）に示すように、駆動周波数を２４０Ｈｚにすることにより図１０（ａ）と同等の輝度を得ることができる。また、従来技術である黒挿入を設けた左右映像分割における駆動方法においても映像表示部２０の奇数ブロックおよび偶数ブロック毎の映像信号の書き込みや一括表示を行わないので、図１０（ｃ）に示すように、右眼用および左眼用の映像信号の駆動周波数を２４０Ｈｚにすることにより図１０（ａ）と同等の輝度を得ることができる。
【００８７】
したがって、従来技術である左右映像分割における駆動方法および黒挿入を設けた左右映像分割による駆動方法では、本発明による映像信号と輝度が同等の映像信号を表示するには、本発明における駆動方法に比べて４倍の駆動周波数で駆動することになる。つまり、本発明における駆動方法によると、従来と比べて１／４の駆動周波数で従来と同等の輝度の映像信号を表示することができ、消費電力を低減して３Ｄ映像を表示することができる。
【００８８】
次に、本発明における駆動方法として、表示映像の垂直解像度が同等になるように駆動する場合について説明する。
【００８９】
図１１は、表示映像の垂直解像度が同等になるように各駆動方式により駆動したときの表示映像を示した図であり、同図（ａ）は本発明における駆動方法、同図（ｂ）は従来技術である左右映像分割における駆動方法、同図（ｃ）は従来技術である黒挿入を設けた左右映像分割における駆動方法による表示映像をそれぞれ示している。なお、図１１（ａ）では、表示映像の上半分が奇数ブロック、下半分が偶数ブロックを示している。また、同図（ａ）および同図（ｃ）において、斜線で示したハッチング部分は、映像信号が表示されていないことを示している。また、同図（ｂ）および同図（ｃ）は、上記した輝度同等時の駆動方法の場合の図１０（ｂ）および図１０（ｃ）の映像表示と同様の図を示している。
【００９０】
本発明における駆動方法では、奇数ブロックまたは偶数ブロック毎の映像信号のスキャンや一括表示が行われるので、本発明における駆動方法により図１１（ｂ）および図１１（ｃ）に示した場合と同様の垂直解像度を達成するには、図１１（ａ）に示すように、図１０（ａ）に示した駆動周波数の２倍である１２０Ｈｚで映像信号のスキャンを行う必要がある。
【００９１】
つまり、制御回路２３による制御により、偶数ブロックに左眼用の映像信号が表示されている状態時に、奇数ブロックの画素部１７へ右眼用の画像データ書き込みが行われ、奇数ブロックの画素部１７への右眼用の画像データ書き込み完了後に、奇数ブロックに右眼用の映像信号が表示されている状態とすると共に、偶数ブロックを映像信号が表示されない状態とする期間と、奇数ブロックに右眼用の映像信号が表示されている状態時に、偶数ブロックの画素部１７への左目用の画像データ書き込みが行われ、偶数ブロックの画素部１７への左眼用の画像データ書き込み完了後に、偶数ブロックに左眼用の映像信号が表示されている状態とすると共に、奇数ブロックを映像信号が表示されない状態とする期間と、偶数ブロックに左眼用の映像信号が表示されている状態時に、奇数ブロックの画素部１７への右眼用の画像データ書き込みが行われ、奇数ブロックの画素部１７への右眼用の画像データ書き込み完了後に、奇数ブロックに右眼用の映像信号が表示されている状態とすると共に、偶数ブロックを映像信号が表示されない状態とする期間と、奇数ブロックに右眼用の映像信号が表示されている状態時に、偶数ブロックの画素部１７への左眼用の画像データ書き込みが行われ、偶数ブロックの画素部１７への左眼用の画像データ書き込み完了後に、偶数ブロックに左眼用の映像信号が表示されている状態とすると共に、奇数ブロックを映像信号が表示されない状態とする期間を順次繰り返して映像表示部２０に１フレーム分の３Ｄ画像が表示される。
【００９２】
したがって、従来技術である左右映像分割における駆動方法および黒挿入を設けた左右映像分割による駆動方法では、本発明による映像信号と垂直解像度が同等の映像信号を表示するには、本発明における駆動方法に比べて２倍の駆動周波数で駆動することになる。つまり、本発明における駆動方法によると、従来と比べて１／２の駆動周波数で従来と同等の垂直解像度の映像信号を表示することができ、消費電力を低減して３Ｄ映像を表示することができる。
【００９３】
次に本発明における駆動方法として、表示映像の駆動周波数が同等になるように駆動する場合について説明する。
【００９４】
また、図１２は、表示映像の駆動周波数（スキャン周波数）が同等になるように各駆動方式により駆動したときの表示映像を示した図であり、同図（ａ）は本発明における駆動方法、同図（ｂ）は従来技術である左右映像分割における駆動方法、同図（ｃ）は従来技術である黒挿入を設けた左右映像分割における駆動方法による表示映像をそれぞれ示している。また、図１２（ａ）は、上記した輝度同等時の駆動方法の場合の図１０（ａ）の映像表示と同様の図を示しており、片目１フレームのフレーム周波数および映像信号の駆動周波数は６０Ｈｚと表している。なお、図１２（ａ）では、表示映像の上半分が奇数ブロック、下半分が偶数ブロックを示している。また、同図（ａ）および同図（ｃ）において、斜線で示したハッチング部分は、映像信号が表示されていないことを示している。
【００９５】
本発明における駆動方法では、映像表示部２０の奇数ブロックまたは偶数ブロック毎の映像信号のスキャンや一括表示が行われるので、従来技術である左右映像分割における駆動方法および黒挿入を設けた左右映像分割による駆動方法において本発明における駆動方法と同一のスキャン周波数６０Ｈｚにより映像信号のスキャンを行うと、図１２（ｂ）および図１２（ｃ）に示すように、片目１フレームのフレーム周波数はそれぞれ３０Ｈｚおよび１５Ｈｚとなる。
【００９６】
したがって、従来技術である左右映像分割における駆動方法および黒挿入を設けた左右映像分割による駆動方法では、本発明による映像信号に比べてフレーム周波数が低いので、１フレームの映像信号の表示に係る時間が長くなり、視聴者は左右眼の視差による立体映像を認識することが難しくなる。つまり、本発明における駆動方法によると、視聴者が立体映像を認識できる範囲内の駆動周波数で、消費電力を低減して３Ｄ映像を表示することができる。
【００９７】
なお、上記した実施の形態では、本発明における第１電源供給切替部および第２電源供給切替部として第３走査線駆動回路２５ｃおよび第４走査線駆動回路２５ｄを設け、第３走査線駆動回路２５ｃおよび第４走査線駆動回路２５ｄから奇数ラインおよび偶数ラインのゲート線Ｈｙを介して一括して各画素部１７の選択素子１７ｃに駆動信号を与えることにより、表示装置１１を奇数ラインまたは偶数ライン単位で画像表示状態または画像非表示状態にする構成としたが、駆動素子１７ｂに電圧または電流を印加する電源部（図示せず）をＯＮまたはＯＦＦに制御することにより、表示装置１１を奇数ブロックまたは偶数ブロック単位で一括して画像表示状態または画像非表示状態にする構成としてもよい。この場合、選択素子１７ｃ、第３走査線駆動回路２５ｃおよび第４走査線駆動回路２５ｄを備える必要がないため、画素部１７および表示装置１１を小型化することができる。また、本実施の形態では、第１表示領域を奇数ブロック、第２表示領域を偶数ブロックとしたが、第１表示領域を映像表示部の上半分、第２表示領域を映像表示部の下半分としてもよい。
【００９８】
（実施の形態２）
次に、本発明の実施の形態２に係る映像表示システムについて説明する。
【００９９】
本実施の形態が上記した実施の形態１と異なる点は、映像表示部を奇数ブロックまたは偶数ブロック単位で画像表示状態または画像非表示状態にするために、第３走査線駆動回路および第４走査線駆動回路がスキャン信号転送部２５に設けられる代わりに、制御回路２３に第１制御部２３ａおよび第２制御部２３ｂが設けられている点である。
【０１００】
図１３は、表示装置１１に設けられた映像表示部２０、スキャン信号転送部２５、信号線駆動回路２６および制御回路２３の詳細な構成を示した図である。制御回路２３は、同図に示すように、第１制御部２３ａおよび第２制御部２３ｂを備えている。また、第１制御部２３ａおよび第２制御部２３ｂは、本発明における第１電源供給切替部および第２電源供給切替部に相当し、ゲート線Ｈｙの奇数ラインおよび偶数ラインを介して一括して各画素部１７の選択素子１７ｃに駆動信号を与えることにより、表示装置１１を奇数ブロックまたは偶数ブロック単位で画像表示状態または画像非表示状態にする。
【０１０１】
図１４は通常時（平面表示）における表示装置１１の１フレームの駆動タイミングを示すタイミングチャート、図１５は立体表示時における表示装置１１の１フレームの駆動タイミングを示すタイミングチャートである。これらの図では、一例として映像表示部２０の走査線が７６８ラインの場合を示している。
【０１０２】
図１４に示すように、平面表示においては、第１制御部２３ａおよび第２制御部２３ｂから、画素部１７の選択素子１７ｃに対して常にＨレベルの駆動信号（パルス信号）が供給される。これにより、表示装置１１は、奇数ブロックおよび偶数ブロックともに画像表示状態になる。
【０１０３】
そして、第１走査線駆動回路２５ａにより、各奇数ライン（Ｈ１、Ｈ３、・・・、Ｈ７６７）に順にＨレベルのパルス信号が供給され、同時に信号線駆動回路２６から各画素部１７に対応する画像データが供給される。続けて、第２走査線駆動回路２５ｂにより、同様に各偶数ライン（Ｈ２、Ｈ４、・・・、Ｈ７６８）に順にＨレベルのパルス信号が供給され、同時に信号線駆動回路２６から各画素部１７に対応する画像データが供給される。このようにして、実施の形態１において示した図６と同様に、映像表示部２０に１フレーム分の２Ｄ画像が表示される。
【０１０４】
また、図１５に示すように、立体表示においては、１フレームの左眼に対応する画像データの書き込みが行われる期間には、第１制御部２３ａおよび第２制御部２３ｂから、画素部１７の選択素子１７ｃに対してそれぞれＬレベルおよびＨレベルの駆動信号（パルス信号）が供給される。これにより、表示装置１１は、奇数ブロックが画像非表示状態、偶数ブロックが画像表示状態になる。そして、同期間に、第１走査線駆動回路２５ａにより、各奇数ライン（Ｈ１、Ｈ３、・・・、Ｈ７６７）に順にＨレベルのパルス信号が供給される。したがって、１フレームの左眼に対する画像データの書き込みが行われている期間には、書き込まれている左眼に対応する映像信号は表示されず、全フレームの右眼に対応する映像信号が表示される。
【０１０５】
続けて、１フレームの右眼に対応する画像データの書き込みが行われる期間には、第１制御部２３ａおよび第２制御部２３ｂから、画素部１７の選択素子１７ｃに対してそれぞれＨレベルおよびＬレベルの駆動信号（パルス信号）が供給される。これにより、表示装置１１は、奇数ブロックが画像表示状態、偶数ブロックが画像非表示状態になる。そして、同期間に、第２走査線駆動回路２５ｂにより、各偶数ライン（Ｈ２、Ｈ４、・・・、Ｈ７６８）に順にＨレベルのパルス信号が供給される。したがって、１フレームの左眼に対する画像データの書き込みが行われている期間には、書き込まれている左眼に対応する映像信号は表示されず、全フレームの右眼に対応する映像信号が表示される。
【０１０６】
このようにして、実施の形態１に示した図８と同様に、映像表示部２０に１フレーム分の３Ｄ画像が表示される。したがって、実施の形態１に示した映像表示システムと同様に、駆動周波数を低減し、消費電力を低減して３Ｄ映像を表示することができる。
【０１０７】
なお、本実施の形態においても、実施の形態１と同様に、駆動素子１７ｂに電圧または電流を印加する電源部（図示せず）をＯＮまたはＯＦＦに制御することにより、表示装置１１を奇数ブロックまたは偶数ブロック単位で一括して画像表示状態または画像非表示状態にする構成としてもよい。この場合、選択素子１７ｃ、第３走査線駆動回路２５ｃおよび第４走査線駆動回路２５ｄを備える必要がないため、画素部１７および表示装置１１を小型化することができる。また、本実施の形態では、第１表示領域を奇数ブロック、第２表示領域を偶数ブロックとしたが、第１表示領域を映像表示部の上半分、第２表示領域を映像表示部の下半分としてもよい。
【０１０８】
（実施の形態３）
次に、本発明の変形例に係る映像表示システムについて説明する。
【０１０９】
本変形例が上記した実施の形態１と異なる点は、映像表示部に備えられた画素部が有機ＥＬ素子を有する代わりに液晶素子を有する点である。
【０１１０】
図１６は、本実施の形態に係る映像表示システムの表示装置の構成を示すブロック図である。同図に示すように、表示装置１１１は、映像表示部１２０と、信号入力部１２１と、信号処理部１２２と、制御回路１２３と、信号送信部１２４と、走査線駆動回路１２５と、信号線駆動回路１２６とを備えている。なお、映像表示部１２０、制御回路２３、走査線駆動回路１２５、信号線駆動回路１２６が、それぞれ本発明における表示部、表示制御部、走査線駆動部、データ線駆動部に相当する。また、信号入力部１２１、信号処理部１２２、制御回路１２３、信号送信部１２４、走査線駆動回路１２５、信号線駆動回路１２６は、実施の形態１で示した信号入力部２１、信号処理部２２、制御回路２３、信号送信部２４、スキャン信号転送部２５、信号線駆動回路２６と同様であるため、詳細な説明を省略する。
【０１１１】
映像表示部１２０は、画素部１１７を複数備えた行（ライン）を複数備え、映像信号出力部１１２から表示装置１１１に入力された映像信号に基づいて画像を表示する。各画素部１１７には、駆動素子１１７ｄ、１１７ｅを駆動させる走査信号を供給するゲート線Ｈｙ（ｙ＝１，２，…，ｙ−１，ｙ）、Ｈｚ（ｚ＝１，２，…，ｚ−１，ｚ）と、映像信号を各画素部１１７に供給するデータ線Ｖｘ（ｘ＝１，２，…，ｘ−１，ｘ）とが接続されている。また、映像表示部１２０は、ゲート線Ｈｙの奇数ラインに接続された複数の画素部１７により構成された奇数ブロックと、ゲート線Ｈｙの偶数ラインに接続された複数の画素部１７により構成された偶数ブロックにより構成されている。
【０１１２】
図１７は映像表示部１２０、制御回路１２３、走査線駆動回路１２５および信号線駆動回路１２６の詳細な構成を示した回路図である。同図に示すように、画素部１１７は、例えば、液晶電極１１７ａと、コンデンサ１１７ｂと、所望のラインの画素部１１７を選択するための選択素子１１７ｃと、液晶電極１１７ａへの電圧の供給を制御する駆動素子１１７ｄ、１１７ｅを備えている。そして、選択素子１１７ｃの動作により選択された画素部１１７では、上記した映像信号に応じてゲート線Ｈｙ、Ｈｚに入力された信号により駆動素子１１７ｄ、１１７ｅが駆動され、データ線Ｖｘから入力された信号により液晶電極１１７ａに電圧が供給されて液晶が駆動され、コンデンサ１１７ｂには電圧に応じた電荷が蓄積され映像表示が維持される。
【０１１３】
また、走査線駆動回路１２５は、図１７に示すように、第１走査線駆動回路１２５ａと、第２走査線駆動回路１２５ｂと、第３走査線駆動回路１２５ｃと、第４走査線駆動回路１２５ｄとを備えている。第１走査線駆動回路１２５ａおよび第２走査線駆動回路１２５ｂは、それぞれ、ゲート線Ｈｙ、Ｈｚの奇数ラインおよび偶数ラインの駆動を行う。第１走査線駆動回路１２５ａおよび第２走査線駆動回路１２５ｂは、制御回路１２３から供給される走査信号に基づいて、画素部１１７の駆動素子１１７ｄ、１１７ｅを駆動する。また、第３走査線駆動回路１２５ｃと、第４走査線駆動回路１２５ｄは、本発明における第１電源供給切替部および第２電源供給切替部に相当し、ゲート線Ｈｙ、Ｈｚの奇数ラインおよび偶数ラインを介して一括して各画素部１１７の選択素子１１７ｃに駆動信号を与えることにより、表示装置１１１を奇数ブロックまたは偶数ブロック単位で画像表示状態または画像非表示状態にする。
【０１１４】
このような構成により、液晶パネルディスプレイを表示装置として備えた映像表示システムであっても、実施の形態１に示した有機ＥＬパネルディスプレイを表示装置として備えた映像表示システムと同様の駆動方法で駆動することができ、駆動周波数を低減し、消費電力を低減して３Ｄ映像を表示することができる。
【０１１５】
なお、本実施の形態においても、上記した実施の形態１と同様に、駆動素子１１７ｄ、１１７ｅに電圧または電流を印加する電源部（図示せず）をＯＮまたはＯＦＦに制御することにより、表示装置１１１を奇数ブロックまたは偶数ブロック単位で一括して画像表示状態または画像非表示状態にする構成としてもよい。この場合、選択素子１１７ｃ、第３走査線駆動回路１２５ｃおよび第４走査線駆動回路１２５ｄを備える必要がないため、画素部１１７および表示装置１１１を小型化することができる。また、本実施の形態では、第１表示領域を奇数ブロック、第２表示領域を偶数ブロックとしたが、第１表示領域を映像表示部の上半分、第２表示領域を映像表示部の下半分としてもよい。
【０１１６】
（実施の形態４）
次に、本発明の実施の形態２に係る映像表示システムについて説明する。
【０１１７】
本実施の形態が上記した実施の形態１と異なる点は、表示装置１１１を奇数ブロックまたは偶数ブロック単位で画像表示状態または画像非表示状態にするために、第３走査線駆動回路および第４走査線駆動回路が走査線駆動回路１２５に設けられる代わりに、制御回路１２３に第１制御部１２３ａおよび第２制御部１２３ｂが設けられている点である。
【０１１８】
図１８は、表示装置１１１に設けられた映像表示部１２０、走査線駆動回路１２５、信号線駆動回路１２６および制御回路１２３の詳細な構成を示した図である。制御回路１２３は、同図に示すように、第１制御部１２３ａおよび第２制御部１２３ｂを備えている。また、第１制御部１２３ａおよび第２制御部１２３ｂは、本発明における第１電源供給切替部および第２電源供給切替部に相当し、ゲート線Ｈｙ、Ｈｚの奇数ラインおよび偶数ラインを介して一括して各画素部１１７の選択素子１１７ｃに駆動信号を与えることにより、表示装置１１１を奇数ラインまたは偶数ライン単位で画像表示状態または画像非表示状態にする。
【０１１９】
このような構成により、液晶パネルを表示装置として備えた映像表示システムであっても、実施の形態１に示した有機ＥＬパネルディスプレイを表示装置として備えた映像表示システムと同様の駆動方法で駆動することができ、駆動周波数を低減し、消費電力を低減して３Ｄ映像を表示することができる。
【０１２０】
なお、本実施の形態においても、上記した実施の形態１と同様に、駆動素子１１７ｄ、１１７ｅに電圧または電流を印加する電源部（図示せず）をＯＮまたはＯＦＦに制御することにより、表示装置１１１を奇数ブロックまたは偶数ブロック単位で一括して画像表示状態または画像非表示状態にする構成としてもよい。この場合、選択素子１１７ｃ、第３走査線駆動回路１２５ｃおよび第４走査線駆動回路１２５ｄを備える必要がないため、画素部１１７および表示装置１１１を小型化することができる。また、本実施の形態では、第１表示領域を奇数ブロック、第２表示領域を偶数ブロックとしたが、第１表示領域を映像表示部の上半分、第２表示領域を映像表示部の下半分としてもよい。
【０１２１】
なお、本発明は、上記した実施の形態に限定されるものではなく、本発明の要旨を逸脱しない範囲内で種々の改良、変形を行ってもよい。
【０１２２】
例えば、上記した実施の形態では、第１表示領域を奇数ブロック、第２表示領域を偶数ブロックとしたが、第１表示領域を映像表示部の上半分、第２表示領域を映像表示部の下半分としてもよい。また、映像表示部をさらに多くの表示領域に分割してもよい。
【０１２３】
また、上記した実施の形態では、第１電源供給切替部および第２電源供給切替部として、第３走査線駆動回路および第４走査線駆動回路、または、第１制御部および第２制御部を備えた映像表示システムを一例として説明したが、画素部の駆動素子に電圧または電流を印加する電源部（図示せず）を一括制御することにより、映像表示部を奇数ラインまたは偶数ライン毎に画像表示状態または画像非表示状態にする構成としてもよい。
【０１２４】
また、上記した実施の形態では、走査線駆動回路として第１走査線駆動回路および第２走査線駆動回路の２つを設けたが、走査線駆動回路は１つでもよく、この場合インターレーススキャン方式により、第１表示領域および第２表示領域に交互に映像信号を表示して、本発明と同様の効果を得ることが可能である。
【０１２５】
また、上記した実施の形態では、表示装置として、有機ＥＬパネルディスプレイおよび液晶パネルディスプレイを備えた映像表示システムを一例として説明したが、本発明は、これらのディスプレイを表示装置とした場合に限らず、その他の方式の表示装置を備えた映像表示システムに用いてもよい。
【０１２６】
また、メガネ部のシャッターは、液晶駆動方式に限らず、その他の駆動方式のシャッターであってもよい。
【０１２７】
また、メガネ部のエミッタは、メガネ部の本体に外付けとする構成であってもよい。また、エミッタが表示装置に内蔵されていてもよい。また、外付けされたエミッタは、メガネ部に有線接続されなくても、例えば赤外線などによって、エミッタとメガネ部の間で信号の送受信が行われる構成であってもよい。
【０１２８】
また、本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１２９】
本発明に係る立体表示装置の駆動方法および立体表示装置は、立体映像の表示に用いるディスプレイに利用可能であり、特に、ホールド型駆動の有機ＥＬパネルディスプレイに有用である。
【符号の説明】
【０１３０】
１    映像表示システム（立体表示装置）
１１、１１１    表示装置（画像表示手段）
１３    メガネ部（眼鏡）
１７、１１７    画素部（表示画素）
２０、１２０    映像表示部（表示部）
２３、１２３    制御回路（表示制御部）
２３ａ、１２３ａ  第１制御部（第１電源供給切替部）
２３ｂ、１２３ｂ  第２制御部（第２電源供給切替部）
２５、１２５    走査線駆動回路（走査線駆動部、表示制御部）
２５ａ、１２５ａ  第１走査線駆動回路（第１走査線駆動部）
２５ｂ、１２５ｂ  第２走査線駆動回路（第２走査線駆動部）
２５ｃ、１２５ｃ  第３走査線駆動回路（第１電源供給切替部）
２５ｄ、１２５ｄ  第４走査線駆動回路（第２電源供給切替部）
２６、１２６    信号線駆動回路（データ線駆動部、表示制御部）
【手続補正２】
【補正対象書類名】特許請求の範囲
【補正対象項目名】全文
【補正方法】変更
【補正の内容】
【特許請求の範囲】
【請求項１】
右眼用の画像と左眼用の画像を順次表示する表示部を有する画像表示手段と、前記右眼用の画像および前記左眼用の画像を順次目視可能とする眼鏡とを用い、
前記表示部において、複数の行からなる第１表示領域の画像表示状態時に、前記第１表示領域の前記複数の行と異なる複数の行からなる前記第２表示領域への画像データ書き込みを行う第１のステップと、
前記第２表示領域への画像データ書き込み完了後に、前記第２表示領域を画像表示状態とすると共に、前記第１表示領域を画像非表示状態とする第２のステップと、
前記第２表示領域の画像表示状態時において、前記第１表示領域への画像データ書き込みを行う第３のステップと、
前記第１表示領域への画像データ書き込み完了後に、前記第１表示領域を画像表示状態とすると共に、前記第２表示領域を画像非表示状態とする第４のステップと、を含み、
前記第１から第４のステップを順次、繰り返して実行する、立体表示装置の駆動方法であって、
前記右眼用の画像および前記左眼用の画像をそれぞれ、前記第１表示領域または第２表示領域に対応させて第１グループと第２グループとに区分し、
前記第１から第４の４つのステップと、当該４つのステップに続く次の前記第１から第４の４つのステップとの合計８つのステップを含み、
前記第１のステップおよび前記第２のステップを実行する第１期間、前記第３のステップおよび前記第４のステップを実行する第２期間、前記次の第１のステップおよび前記次の第２のステップを実行する第３期間、乃至、前記次の第３のステップおよび前記次の第４のステップを実行する第４期間のうちのいずれかの期間において、
前記右眼用の画像の第１グループ、前記右眼用の画像の第２グループ、前記左眼用の画像の第１グループ、および前記左眼用の画像の第２グループの画像データを前記いずれかの期間にいずれか１グループを各々対応させて書き込み、当該画像について表示を行う、
立体表示装置の駆動方法。
【請求項２】
前記第１表示領域および前記第２表示領域のいずれか一方は、前記表示部の一端から数えて奇数番目の複数の行からなり、いずれか他方は、前記表示部の前記一端から数えて偶数番目の複数の行からなる、
請求項１に記載の立体表示装置の駆動方法。
【請求項３】
前記第１表示領域および前記第２表示領域の前記表示部のいずれか一方は、前記表示部の上側半分に位置する複数の行からなり、いずれか他方は、前記表示部の下側半分に位置する複数の行からなる、
請求項１に記載の立体表示装置の駆動方法。
【請求項４】
前記表示部は、有機ＥＬ素子を有する、
請求項１に記載の立体表示装置の駆動方法。
【請求項５】
右眼用の画像と左眼用の画像を順次表示する表示部を有する画像表示手段と、前記右眼用の画像および前記左眼用の画像を順次目視可能とする眼鏡とを用いた立体表示装置であって、
前記表示部は、
複数の表示画素が配置された複数の行からなる第１表示領域と、
前記第１表示領域の前記複数の行と異なる複数の行からなり、前記複数の表示画素とは異なる複数の表示画素を有する第２表示領域とを具備し、
前記第１表示領域および前記第２表示領域のいずれか一方は、前記表示部の上側半分に位置するラインからなり、いずれか他方は、前記表示部の下側半分に位置するラインからなり、
前記画像表示手段は、
前記第１表示領域および前記第２表示領域への画像データ書き込みを行うと共に、前記第１表示領域および前記第２表示領域の画像表示状態と画像非表示状態とを切り替える表示制御部とを具備し、
前記表示制御部は、
前記第１表示領域での画像表示状態時において、前記第２表示領域への画像データ書き込みを行い、
前記第２表示領域への画像データ書き込み完了後に、前記第２表示領域を画像表示状態とすると共に、前記第１表示領域を画像非表示状態とし、
前記第２表示領域での画像表示状態時において、前記第１表示領域へのデータ書き込みを行い、
前記第１表示領域への画像データ書き込み完了後に、前記第１表示領域を画像表示状態とすると共に、前記第２表示領域を画像非表示状態とする、
立体表示装置。
【請求項６】
前記表示部は、有機ＥＬ素子を有する、
請求項５に記載の立体表示装置。
【請求項７】
前記表示制御部は、
前記表示画素に行毎に走査信号を供給する走査線駆動部と、
前記表示画素の各々に画像データの書き込みを行うデータ線駆動部と、
前記表示画素に駆動電流または電圧を供給すると共に、駆動電流または電圧の供給の有無によって画像表示状態と画像非表示状態とを切り替える電源供給切替部と、を含む、
請求項５に記載の立体表示装置。
【請求項８】
前記走査線駆動部は、
前記第１表示領域に属する前記表示画素に走査信号を供給する第１走査線駆動部と、
前記第１表示領域に属する前記表示画素を画像表示状態または画像非表示状態に切り替える第１電源供給切替部と、
前記第２表示領域に属する前記表示画素に走査信号を供給する第２走査線駆動部と、
前記第２表示領域に属する前記表示画素を画像表示状態または画像非表示状態に切り替える第２電源供給切替部と、を含む、
請求項７に記載の立体表示装置。
【手続補正３】
【補正対象書類名】図面
【補正対象項目名】全図
【補正方法】変更
【補正の内容】
【図１】
2011121654.tif 000021
【図２】
2011121654.tif 000022
【図３】
2011121654.tif 000023
【図４】
2011121654.tif 000024
【図５】
2011121654.tif 000025
【図６】
2011121654.tif 000026
【図７】
2011121654.tif 000027
【図８】
2011121654.tif 000028
【図９】
2011121654.tif 000029
【図１０】
2011121654.tif 000030
【図１１】
2011121654.tif 000031
【図１２】
2011121654.tif 000032
【図１３】
2011121654.tif 000033
【図１４】
2011121654.tif 000034
【図１５】
2011121654.tif 000035
【図１６】
2011121654.tif 000036
【図１７】
2011121654.tif 000037
【図１８】
2011121654.tif 000038
【国際調査報告】
2011121654.tif 000039
2011121654.tif 000040